(57)【要約】  複数のユーザで構成されるグループに応じた情報をユーザに提供する情報提供システム（１００）において、ユーザａ〜ｃを識別する複数のユーザ識別情報を受信し、受信した複数のユーザ識別情報に基づいて、複数のユーザが行動を共にする所定の人間関係を有するグループであって複数のユーザで構成されるグループの種類を判別し、このグループの種類に応じたユーザへの提供情報を抽出して、抽出した提供情報をグループを構成するユーザへ提供する。【特許請求の範囲】
【請求項１】
複数のユーザで構成されるグループに応じた情報を前記ユーザに提供する情報提供システムにおいて、
前記ユーザ毎に携帯され、前記ユーザを識別するユーザ識別情報を記憶して送信するユーザ識別情報記憶装置と、
前記ユーザ識別情報記憶装置が送信するユーザ識別情報を受信する情報取得装置と、
前記ユーザ識別情報に対応する前記ユーザの個人情報と前記ユーザ識別情報との対応付けに関する対応関係情報を記憶するユーザ情報記憶装置と、
前記グループの種類に対応付けられた情報であって、前記グループを構成するユーザに提供する情報を提供情報として記憶する提供情報記憶装置と、
前記情報取得装置が受信した複数のユーザ識別情報および前記ユーザ情報記憶装置が記憶する前記対応関係情報に基づいて、前記複数のユーザで構成されるグループの種類を判別するグループ判別装置と、
前記提供情報記憶部が記憶する提供情報の中から、前記グループ判別装置が判別した所定のグループの種類に応じた提供情報を抽出する提供情報抽出装置と、
前記提供情報抽出部が抽出した提供情報を、前記グループを構成するユーザに提供する情報提供装置と、
を備え、
前記グループ判別装置は、前記複数のユーザが行動を共にする所定の人間関係を有する場合に該人間関係をグループとしてグループの種類を判別することを特徴とする情報提供システム。
【請求項２】
前記グループ判別装置は複数からなり、前記ユーザ情報記憶装置は複数の前記グループ判別装置と接続することを特徴とする請求項１に記載の情報提供システム。
【請求項３】
前記グループ判別装置は複数からなり、前記提供情報記憶装置は複数の前記グループ判別装置と接続することを特徴とする請求項１または２に記載の情報提供システム。
【請求項４】
前記ユーザ情報記憶装置は複数からなり、前記ユーザ情報記憶装置は前記グループ判別装置または前記グループ判別装置と接続するユーザ情報記憶装置と接続することを特徴とする請求項１に記載の情報提供システム。
【請求項５】
前記ユーザ情報記憶装置間を接続し、前記一方のユーザ情報記憶装置から前記他方の前記ユーザ情報記憶装置へ前記ユーザの個人情報を転送する際に、前記ユーザの個人情報と前記ユーザ識別情報との対応関係に基づいて前記ユーザの個人情報を転送するＩＤ変換装置をさらに備えることを特徴とする請求項１に記載の情報提供システム。
【請求項６】
前記情報提供装置は、前記提供情報を表示することを特徴とする請求項１に記載の情報提供システム。
【請求項７】
前記ユーザ識別情報記憶装置は、ＲＦＩＤタグであり、
前記情報取得装置は、ＲＦＩＤリーダであることを特徴とする請求項１に記載の情報提供システム。
【請求項８】
前記ユーザ識別情報記憶装置を携帯するユーザの移動に関する移動情報を取得する位置情報取得装置をさらに備え、
前記グループ判別装置は、前記位置情報取得装置が取得した移動情報に基づいて、前記ユーザ識別情報記憶装置を携帯するユーザが前記行動を共にする所定の人間関係を有するグループであるか否かを判断し、
前記情報提供装置は、前記提供情報を前記ユーザ識別情報記憶装置に送信することを特徴とする請求項１に記載の情報提供システム。
【請求項９】
前記位置情報取得装置は、前記ユーザ識別情報記憶装置と接続する通信ネットワークから前記ユーザ識別情報記憶装置を携帯するユーザの位置に関する情報を取得するとともに前記ユーザの位置をトラッキングして前記移動情報を取得することを特徴とする請求項８に記載の情報提供システム。
【請求項１０】
前記通信ネットワークは複数の異なるキャリア網からなるとともに、各キャリア網がそれぞれのキャリア網に対応する前記位置情報取得装置と接続し、
前記グループ判別装置は、前記複数の位置情報取得装置と接続することを特徴とする請求項９に記載の情報提供システム。
【請求項１１】
前記ユーザ識別情報記憶装置は、ＧＰＳによって自らの位置に関する情報をＧＰＳ位置情報として取得するとともに、該取得したＧＰＳ位置情報を前記位置情報取得装置に送信し、
前記位置情報取得装置は、前記ＧＰＳ位置情報に基づいて前記ユーザの位置をトラッキングし、前記移動情報を取得することを特徴とする請求項８に記載の情報提供システム。
【請求項１２】
複数のユーザで構成されるグループに応じた情報を前記ユーザに提供する情報提供方法において、
前記ユーザを識別するユーザ識別情報をユーザ毎に送信するユーザ識別情報送信ステップと、
前記ユーザ識別情報を受信する情報取得ステップと、
前記ユーザ識別情報に対応する前記ユーザ個人情報と前記ユーザ識別情報との対応付けに関する対応関係情報に基づいて、前記複数のユーザが行動を共にする所定の人間関係を有し、かつ複数のユーザで構成されるグループの種類を判別するグループ判別ステップと、
前記グループの種類に対応する情報であって、前記グループを構成するユーザに提供する提供情報の中から、前記判別された所定のグループの種類に応じた提供情報を抽出する提供情報抽出ステップと、
抽出した前記提供情報を、前記グループを構成するユーザに提供する情報提供ステップと、
を含むことを特徴とする情報提供方法。
【発明の詳細な説明】
【技術分野】
【０００１】
本発明は、グループに応じた情報を提供する情報提供システムおよび情報提供方法に関する。
【背景技術】
【０００２】
近年、マルチメディア技術の進展に伴い、テレビ、ラジオ、メール、Ｗｅｂ等のメディアよる情報や、街中のいたるところに見られるチラシ、ポスター、看板、掲示版による情報等、世の中には種々の情報があふれている。このような情報に対して各ユーザは、自分に必要な情報を取捨選択して、自分の行動に結びつけている。【０００３】
しかしながら、情報過剰のために自らに必要な情報をうまく取り出して利用するのは困難になりつつある。このため、ユーザに対してユーザが利用しやすい情報を提供、取得することが望まれており、このようなユーザが利用しやすい情報の提供手段の開発が進められている。【０００４】
例えば、各個人へ情報を推薦する技術（情報のパーソナライゼーション技術）として、各個人の通常の好みに基づいた情報を提供する方法、自分や他者の履歴、物の属性を参照して情報を提供するコンテンツフィルタリング、協調フィルタリングといったものが存在する。また、自らと関連性が薄い情報をカットする技術として、例えば情報フィルタリングがある。【０００５】
このような従来の各個人へ情報を推薦する技術等は、個人へのカスタマイズを目指したものがほとんどであり、実際の人間が選択する行動に必ずしも合っているわけではなかった。すなわち、人の行動は個人に依存する場合と、その場に一緒にいる仲間、同僚、家族等の同伴者に影響される場合がある。換言すると、人は一緒にいる相手によってその時に行う行動が変化する。例えば、見る映画を選択する時に、個人的にはアクション映画が好きであっても、恋人と一緒にいるときは恋愛ものの映画を好むかもしれない。また、子供といっしょにいる時は、子供向けの映画を望むかもしれない。このように人の行動は個人の属性や趣味よりも一緒にいる人に影響を受けることも多い。【０００６】
このため、所定のグループに対して所定の情報を提供する技術の開発が進められている。例えば、複数からなるユーザ（グループ）の位置に応じて、グループの位置に応じた情報を提供するシステムがある。【０００７】
特許文献１に記載の状態検出システムは、複数の移動体の位置を個別に検出し、この検出した複数の移動体の位置関係が所定の判定条件を満たすか否かを判定し、判定結果に基づいて動作の切り換えを行っている。状態検出の判定における所定の判定条件には、例えば複数の移動体の位置が所定の領域内であるか否か、あるいはグループ内の所定数の移動体の位置が所定の領域内であるか否か、あるいは、複数の移動体が予め設定した順路内にあるか否か等の条件が含まれている。【０００８】
【特許文献１】特開２００４−７４９６号公報
【発明の開示】
【発明が解決しようとする課題】
【０００９】
しかしながら、上記従来の技術では、複数の移動体の位置に応じて監視システム等の動作を切替えることはできるが、同伴者のグループ毎にグループに応じた情報を提供することはできないといった問題があった。【００１０】
本発明は、上記に鑑みてなされたものであって、行動を共にする同伴者のグループに応じた情報を提供する情報提供システムおよび情報提供方法を得ることを目的とする。
【課題を解決するための手段】
【００１１】
上述した課題を解決し、目的を達成するために、本発明は、複数のユーザで構成されるグループに応じた情報を前記ユーザに提供する情報提供システムにおいて、前記ユーザ毎に携帯され、前記ユーザを識別するユーザ識別情報を記憶して送信するユーザ識別情報記憶装置と、前記ユーザ識別情報記憶装置が送信するユーザ識別情報を受信する情報取得装置と、前記ユーザ識別情報に対応する前記ユーザの個人情報と前記ユーザ識別情報との対応付けに関する対応関係情報を記憶するユーザ情報記憶装置と、前記グループの種類に対応付けられた情報であって、前記グループを構成するユーザに提供する情報を提供情報として記憶する提供情報記憶装置と、前記情報取得装置が受信した複数のユーザ識別情報および前記ユーザ情報記憶装置が記憶する前記対応関係情報に基づいて、前記複数のユーザで構成されるグループの種類を判別するグループ判別装置と、前記提供情報記憶部が記憶する提供情報の中から、前記グループ判別装置が判別した所定のグループの種類に応じた提供情報を抽出する提供情報抽出装置と、前記提供情報抽出部が抽出した提供情報を、前記グループを構成するユーザに提供する情報提供装置と、を備え、前記グループ判別装置は、前記複数のユーザが行動を共にする所定の人間関係を有する場合に該人間関係をグループとしてグループの種類を判別することを特徴とする。
【発明の効果】
【００１２】
複数のユーザが行動を共にする所定の人間関係を有する場合に各グループの種類に応じたコンテンツをユーザに提供するので、ユーザの状況に応じた適切なコンテンツを提供することが可能となる。
【図面の簡単な説明】
【００１３】
【図１】図１は、本発明に係る情報提供システムの概念を説明するための概念図である。
【図２】図２は、いっしょにいる相手により提供するコンテンツが変わる一例を説明するための図である。
【図３】図３は、個人情報記憶装置へのグループ登録の概念を説明するための図である。
【図４】図４は、複数のユーザの位置をトラッキングし、それらの人がいっしょに行動しているかを判断する処理の概念を説明するための図である。
【図５】図５は、ユーザに提供されるコンテンツの一覧表の一例を示す図である。
【図６】図６は、実施例１に係る情報提供システムの構成を示すシステム構成図である。
【図７】図７は、実施例１に係る情報提供の動作手順を示すフローチャートである。
【図８】図８は、登録個人情報の構成を示す図である。
【図９】図９は、人間関係情報の構成を示す図である。
【図１０】図１０は、グループ向けコンテンツ情報の構成を示す図である。
【図１１】図１１は、実施例２に係る情報提供システムの構成を示すシステム構成図である。
【図１２】図１２は、実施例２に係る情報提供の動作手順を示すフローチャートである。
【図１３】図１３は、複数の大画面表示装置を有した情報提供システムの構成を示すシステム構成図である。
【図１４】図１４は、登録情報ＤＢ同士が複数接続する情報提供システムの構成を示すシステム構成図である。
【図１５】図１５は、ＧＰＳを有した情報提供システムの構成を示すシステム構成図である。
【図１６】図１６は、複数種類のキャリア網を有した情報提供システムの構成を示すシステム構成図である。
【符号の説明】
【００１４】
１Ａ〜１Ｆ  ＲＤＩＤ
３Ａ〜３Ｃ  個人情報記憶装置
５Ａ，５Ｂ  携帯端末
１０  情報取得装置
１１  ＲＦＩＤリーダ
１２  関係判定部
１３  情報表示部
２０  関係判定装置
２１  関係判定部
２５、２６Ａ、２６Ｂ  位置情報トラッキングサーバ
３０  情報提供装置
３１  情報表示部
３５  情報配信サーバ
４０  登録情報記憶装置
４１、４３Ａ，４３Ｂ  登録情報ＤＢ
４５  グループ情報登録サーバ
５０  提供情報記憶装置
５１  コンテンツＤＢ
６１Ａ，６１Ｂ  ＩＤ変換サーバ
７０  グループ位置トラッキングサーバ
９０  大画面表示装置
１００〜１０２、１５０〜１５２  情報提供システム
１０５、１１０Ａ，１１０Ｂ  基地局ネットワーク
１０６  基地局
１２０Ａ，１２０Ｂ  キャリア内サーバ
２００  登録個人情報
２１０  人間関係情報
２２０  グループ向けコンテンツ情報
ａ〜ｄ  ユーザ
【発明を実施するための最良の形態】
【００１５】
以下に添付図面を参照して、この発明に係る情報提供システムおよび情報提供方法の効果的な実施の形態を詳細に説明する。なお、この実施例によりこの発明が限定されるものではない。
【実施例１】
【００１６】
図１は、本発明に係る情報提供システムの概念を説明するための概念図である。情報提供システム１００は、複数のユーザａ〜ｃを認識し、ユーザａ〜ｃに行動を共にする同伴者のグループに応じた情報を提供するシステムである。情報提供システムは、例えば所定の場所にいるグループや一緒に行動しているグループを認識し、認識したグループに対してグループの特性に応じた情報を提供する。【００１７】
情報提供システム１００は、ユーザａが携帯する個人情報記憶装置３Ａ、ユーザｂが携帯する個人情報記憶装置３Ｂ、ユーザｃが携帯する個人情報記憶装置３Ｃ、情報取得装置１０、関係判定装置２０、情報提供装置３０、登録情報記憶装置４０を含んで構成される。【００１８】
個人情報記憶装置（ユーザ識別情報記憶装置）３Ａ〜３Ｃは、ＲＦＩＤ（Radio  Frequency  Identification）タグや携帯端末等で構成され、情報取得装置１０と接続することによって情報取得装置１０に各ユーザａ〜ｃを識別する情報（ユーザ識別情報）（以下、ユーザＩＤという）を提供する。【００１９】
情報取得装置１０は、ＲＦＩＤや携帯端末が有するユーザａ〜ｃのユーザＩＤを取得する装置であり、例えば後述するＲＦＩＤリーダ１１、位置情報トラッキングサーバ２５等によって構成される。【００２０】
登録情報記憶装置（ユーザ情報記憶装置、提供情報記憶装置）４０は、複数のユーザａ〜ｃのユーザＩＤ、住所、氏名等の個人情報、グループに応じて提供するコンテンツ等（対応関係情報、提供情報）をグループ毎に記憶する装置であり、後述する登録情報ＤＢ（Data  Base）４１、コンテンツＤＢ５１、グループ情報登録サーバ４５、位置情報トラッキングサーバ２５等によって構成される。【００２１】
関係判定装置（グループ判別装置、提供情報抽出装置）２０は、登録情報記憶装置４０が記憶する情報に基づいて、例えばユーザａと同伴しているユーザｂやユーザｃがユーザａと所定のグループを構成する関係を有しているか否か（所定の場所にいるグループや一緒に行動しているグループの特定）を判断する。関係判定装置２０は、所定のグループの種類に応じたコンテンツを登録情報記憶装置４０から抽出する。関係判定装置２０は、後述する関係判定部２１、グループ情報登録サーバ４５等によって構成される。【００２２】
情報提供装置３０は、登録情報記憶装置４０が抽出したグループに応じたコンテンツ情報等をユーザａ〜ｃに提供する装置であり、後述する情報表示部３１、情報配信サーバ３５等によって構成される。【００２３】
本実施例１において情報提供システム１００は、予めユーザａ〜ｃのユーザＩＤとユーザａ〜ｃの個人情報を登録情報記憶装置４０に格納しておく。情報取得装置１０は、例えば各ユーザａ〜ｃが携帯している個人情報記憶装置３Ａ〜３Ｃから、各ユーザａ〜ｃのユーザＩＤを取得し、関係判定装置２０はユーザａ〜ｃが所定の関係を構成するグループ（行動を共にする人間関係を有するグループ）に属しているか否かを判断する。このとき、関係判定装置２０は登録情報記憶装置４０が記憶するユーザａ〜ｃのユーザＩＤ、個人情報に基づいて、ユーザａ〜ｃが所定の関係に基づいたグループに属しているか否かを判断し、ユーザａ〜ｃが所定の場所にいるグループや一緒に行動しているグループであって、所定の関係を有したグループであると判断すると、提供情報記憶装置５０から所定の関係を有したグループに対応するコンテンツを抽出する。
関係判定装置２０が抽出したコンテンツは、情報提供装置３０によってユーザａ〜ｃに提供される。情報提供装置３０は、例えばコンテンツを大画面表示装置に表示することや携帯電話等に配信することによってユーザａ〜ｃにコンテンツを提供する。【００２４】
図２は、いっしょにいる相手により提供するコンテンツが変わる一例を説明するための図である。ここでは、ユーザａ，ｂが有する個人情報記憶装置３Ａ，３Ｂがクレジットカード９Ａ，９Ｂであり、ユーザａ，ｃが有する個人情報記憶装置３Ａ，３Ｃがクレジットカード９Ａ，９Ｃである場合を示している。【００２５】
情報提供システム１００は、クレジットカード９Ａ，９Ｂが記憶している情報と、登録情報記憶装置４０が記憶している情報に基づいてユーザａとユーザｂが所定のグループ（夫婦）であることを認識し、グループ「夫婦」に対応するコンテンツを大画面表示装置等の情報提供装置３０を介してユーザａ，ｂに提供する。【００２６】
また、情報提供システム１００は、クレジットカード９Ａ，９Ｃが記憶している情報と、登録情報記憶装置４０が記憶している情報に基づいてユーザａとユーザｃが所定のグループ（親子）であることを認識し、グループ「親子」に対応するコンテンツを大画面表示装置等の情報提供装置３０を介してユーザａ，ｃに提供する。【００２７】
つぎに、一緒に行動（移動）しているグループへのコンテンツ提供の概念を説明する。図３は、個人情報記憶装置へのグループ登録の概念を説明するための図であり、図４は、複数のユーザの位置をトラッキングし、それらの人がいっしょに行動しているかを判断する処理の概念を説明するための図であり、図５は、ユーザに提供されるコンテンツの一覧表の一例を示す図である。【００２８】
例えば、各ユーザａ〜ｃは、携帯電話等の個人情報記憶装置３Ａ〜３Ｃに所定のグループ登録を行なっておく。すなわち、各ユーザａ〜ｃは、個人情報記憶装置３Ａ〜３Ｃが備える「電話番号をグループ別に登録する機能」を利用して所定のグループ登録を行なっておく。例えば、ユーザａは自らの携帯電話においてアドレス等を登録するアドレス帳に固定のカテゴリを用意し、グループを構成するユーザを登録しておく。図３においては、「家族」のメンバーとしてユーザｂに対応する「富士  太郎」を登録し、「恋人」のメンバーとしてユーザｃに対応する「藤原涼子」を登録している場合をグループ登録の一例として示している。【００２９】
各ユーザａ〜ｃは、個人情報記憶装置３Ａ〜３Ｃに登録されたグループに関する情報を、予め情報登録装置４０に送っておく。これにより、ユーザ間においてどのような関係を有しているかを登録することが可能となる。なお、ユーザのグループ登録は、情報サービス提供者が用意した固定カテゴリに、ユーザが知合いのアドレスを登録するようにしてもよい。すなわち、各ユーザａ〜ｃは、知合いのアドレスをそのつどサーバにアップしておいてもよい。【００３０】
情報取得装置１０は、携帯電話と接続するアンテナや基地局を介して、ユーザａ〜ｃを認識するとともに、ユーザａ〜ｃの位置をトラッキングする。そして、関係判定装置２０はユーザａの携帯電話に登録されているユーザｂ，ｃがユーザａと一緒に行動しているか否かを判断する。【００３１】
関係判定装置２０は、ユーザａ〜ｃが一緒に行動していると判断すると、登録情報記憶装置４０が記憶する情報に基づいてユーザａ〜ｃが構成するグループを判別する。関係判定装置２０は、一緒に行動するユーザａ〜ｃが構成するグループの種類（属性）応じて、ユーザａに提供するコンテンツを登録情報記憶装置４０から抽出する。【００３２】
登録情報記憶装置４０から抽出したコンテンツは、情報提供装置３０がユーザａの携帯電話に配信すること等によってユーザａに提供する。情報提供装置３０は、例えば図５に示すように家族向けのコンテンツや恋人向けのコンテンツの一覧表を提供する。ユーザａは、情報提供装置３０から提供されたコンテンツの一覧表から所望のコンテンツを選択し、選択したコンテンツを取得する。これにより情報提供システム１００は、グループを構成しているユーザａ〜ｃに対しグループに応じたコンテンツを提供することが可能となる。【００３３】
図６は、実施例１に係る情報提供システムの構成を示すシステム構成図である。ここでの情報提供システム１００は、ユーザａ〜ｃが携帯するＲＦＩＤ（ＲＦＩＤタグ）２Ａ〜２Ｃと大画面表示装置９０からなる。ここでのＲＦＩＤ２Ａ〜２Ｃは、例えばカード型で構成される。なお、ここでのＲＦＩＤ１Ａ〜１Ｃが請求の範囲に記載のユーザ識別情報記憶装置に対応する。【００３４】
ＲＦＩＤ２Ａ〜２Ｃは、例えばＵＨＦ（Ultra  High  Frequency）帯のＲＦＩＤやＡｃｔｉｖｅＲＦＩＤ等によって構成される。ＲＦＩＤ２Ａ〜２Ｃには、ＲＦＩＤ２Ａ〜２Ｃを各ユーザａ〜ｃに発行する際に、各ユーザに対応した種々の情報が登録されている。ＲＦＩＤ２Ａ〜２Ｃは、所定のサービスを提供する会社等が発行する家族会員カードや法人カード等であってもよい。この場合、家族会員カードや法人カード等に設定登録された情報を、ＲＦＩＤ２Ａ〜２Ｃが格納する各ユーザａ〜ｃの個人情報としてそのまま流用してもよい。【００３５】
大画面表示装置９０は、大画面表示装置９０の近くに位置する複数のユーザａ〜ｃに情報を提供するため、所定の情報（コンテンツ）等を表示する装置である。大画面表示装置９０は、例えばレストラン街にあるレストラン一覧表示画面として機能する。大画面表示装置９０は、ＲＦＩＤリーダ１１、関係判定部２１、情報表示部３１、登録情報ＤＢ４１、コンテンツＤＢ５１を備えている。【００３６】
なお、ここでのＲＦＩＤリーダ１１が請求の範囲に記載の情報取得装置に対応し、関係判定部２１がグループ判別装置および提供情報抽出装置に対応し、情報表示部３１がユーザ情報記憶装置に対応し、登録情報ＤＢ４１が情報提供装置に対応し、コンテンツＤＢ５１が提供情報記憶装置に対応する。【００３７】
ＲＦＩＤリーダ１１は、大画面表示装置９０（ＲＦＩＤリーダ１１）から所定の距離（例えば２ｍ）だけ離れたＲＦＩＤ２Ａ〜２ＣからＲＦＩＤ２Ａ〜２Ｃが有する情報（ユーザＩＤ）を読み出す。ＲＦＩＤリーダ１１は、例えば大画面表示装置９０の前方に位置するＲＦＩＤ２Ａ〜２Ｃを認識することによってＲＦＩＤ２Ａ〜２Ｃを携帯するユーザａ〜ｃを認識する。【００３８】
登録情報ＤＢ４１は、予め登録されたユーザａ〜ｃがどのようなグループを構成するかを判断するための情報（後述する登録個人情報２００、人間関係情報２１０）を記憶する。登録情報ＤＢ４１には、例えば登録個人情報２００としてユーザＩＤ毎にユーザＩＤに対応する種々の情報（個人情報等）が登録されている。コンテンツＤＢ５１は、グループ毎にグループに対応するコンテンツを、コンテンツのジャンル別に格納する。【００３９】
関係判定部２１は、ＲＦＩＤリーダ１１が読み出したユーザａ〜ｃのユーザＩＤ、登録情報ＤＢ４１に格納されている情報に基づいて、ユーザａ〜ｃが所定の関係を有したグループを構成しているか否かを判断する。関係判定装置２０は、例えばユーザａ〜ｃが友人同士であり、「友人関係」のグループを構成すると判断する。関係判定部２１は、ユーザａ〜ｃが所定の関係を有すると判定したグループと、コンテンツＤＢ５１が格納する情報に基づいて、ユーザａ〜ｃのグループに応じたコンテンツを抽出する。【００４０】
情報表示部３１は、例えば液晶ディスプレイ装置やプラズマディスプレイ装置を含んで構成され、関係判定装置２０が抽出したコンテンツを表示する。情報表示部３１は、例えばユーザａ〜ｃのグループに応じたレストラン情報のコンテンツとして「リーズナブルな話題のお店」等を表示する。【００４１】
なお、ここでは大画面表示装置９０が登録情報ＤＢ４１、コンテンツＤＢ５１を備える構成としたが、登録情報ＤＢ４１、コンテンツＤＢ５１は大画面表示装置９０と異なる別の構成としてもよい。例えば、コンテンツＤＢ５１が格納する情報を所定のサーバ（コンテンツサーバ）に格納しておき、大画面表示装置９０（関係判定部２１）がこのサーバにアクセスすることによってコンテンツＤＢ５１が格納する情報を取得する。【００４２】
また、ここでは大画面表示装置９０がＲＦＩＤリーダ１１、関係判定部２１を備える構成としたが、ＲＦＩＤリーダ１１、関係判定部２１は大画面表示装置９０と異なる別の構成としてもよい。【００４３】
つぎに、実施例１に係る情報提供システムの情報提供の動作手順を説明する。図７は、実施例１に係る情報提供の動作手順を示すフローチャートである。登録情報ＤＢ４１は、予めユーザａ〜ｃのユーザＩＤとユーザａ〜ｃの個人情報等を記憶しておく（ステップＳ１００）。【００４４】
ここで、登録情報ＤＢ４１に格納しておく情報（登録個人情報２００、人間関係情報２１０）について説明する。図８は、登録情報ＤＢが格納する登録個人情報の構成を示す図であり、図９は登録情報ＤＢが格納する人間関係情報の構成を示す図である。【００４５】
登録個人情報２００は、ユーザＩＤ毎の個人情報からなる。ここでの個人情報としては、例えばユーザの住所、氏名、勤務先等がある。人間関係情報２１０は、複数のユーザＩＤで構成されるグループを示す情報である。ここでの人間関係情報２１０は、ユーザＩＤがＩＤ１、ＩＤ２からなるユーザのグループは「家族」の関係を有し、ユーザＩＤがＩＤ１０〜ＩＤ１５からなるユーザのグループは「友人」の関係を有し、ユーザＩＤがＩＤ２０〜ＩＤ２５からなるユーザのグループは「会社の同僚」の関係を有する場合を示している。【００４６】
ＲＦＩＤリーダ１１は、ユーザａ〜ｃがＲＦＩＤリーダ１１に対して所定の距離だけ近付くと、各ユーザａ〜ｃが携帯しているＲＦＩＤ２Ａ〜２Ｃを読み取り、各ユーザａ〜ｃのユーザＩＤを取得する（ステップＳ１１０）。【００４７】
関係判定部２１は、例えばユーザａ〜ｃが所定の関係に基づいたグループに属している（ユーザａ〜ｃが一緒にいる）か否かを、ユーザａ〜ｃのユーザＩＤ、登録情報ＤＢ４１が記憶する登録個人情報２００や人間関係情報２１０に基づいて判定する（ステップＳ１２０）。ここでのグループは、複数人のユーザで構成される人間関係が存在するか否かに基づいて判定される。【００４８】
まず、関係判定部２１が登録個人情報２００に基づいてグループを判定する場合について説明する。例えば、関係判定部２１は、ユーザａのユーザＩＤに対応する勤務先の所属部署と、ユーザｂのユーザＩＤに対応する勤務先の所属部署が同一の場合、ユーザａとユーザｂは会社の仲間であると判断する。また、関係判定部２１はユーザａのユーザＩＤに対応する役職とユーザｂのユーザＩＤに対応する役職に基づいて、ユーザａとユーザｂは会社の仲間であって上司と部下の関係または同僚等の関係（グループ）であると判断する。【００４９】
つぎに、関係判定部２１が人間関係情報２１０に基づいてグループを判定する場合について説明する。関係判定部２１は、例えばユーザａのユーザＩＤがＩＤ１に対応し、ユーザｂのユーザＩＤがＩＤ２に対応する場合、ユーザａとユーザｂは家族であると判断する。【００５０】
関係判定部２１がユーザａ〜ｃのユーザＩＤ、登録個人情報２００や人間関係情報２１０に基づいて判定するグループとしては、例えば血縁関係である親子、夫婦、祖父や祖母と孫、家族等、知人関係である恋人、友人（異性）、友人（同性）、知り合い、社会的関係である会社の同僚、上司と部下、顧客と供給者（営業マン）、先生と生徒等がある。【００５１】
関係判定部２１がユーザａ〜ｃのユーザＩＤ、登録個人情報２００や人間関係情報２１０に基づいて判定するグループとしては、これらの固定的な枠組みによる関係に限られず、例えば、頻繁に飲みに行く仲間、スポーツ仲間、旅行仲間等の行動を共にすることが多いグループであってもよい。【００５２】
関係判定部２１が、ユーザａ〜ｃは所定の場所にいるグループであって、所定の関係を有したグループであると判断すると（ステップＳ１３０）、このグループとコンテンツＤＢ５１が格納する情報（後述するグループ向けコンテンツ情報２２０）に基づいて、所定の関係を有したグループに対応するコンテンツをユーザａ〜ｃへの提供情報として抽出する。【００５３】
ここで、コンテンツＤＢ５１に格納しておくグループ向けコンテンツ情報２２０について説明する。図１０は、コンテンツＤＢが格納するグループ向けコンテンツ情報の構成を示す図である。【００５４】
グループ向けコンテンツ情報２２０は、コンテンツの提供対象となるグループ（対象グループ）毎の、各グループに対応するコンテンツのジャンル別の情報である。すなわち、コンテンツＤＢ５１は、グループ向けコンテンツ情報２２０として、予め所定の人間関係に結び付けられたコンテンツの情報である。例えば、「レストラン情報」の場合、「家族」向けのコンテンツとして「メニューの選択肢が多く、子供用の席などが充実した店」に関するコンテンツを対応付けておく。【００５５】
グループ向けコンテンツ情報２２０としては、グループとコンテンツを直接対応付ける場合に限られず、事例ベース推論（例えば、「家族はＡレストランによく行く」などの事例に基づいて最も適切な組合せを推論する仕組み）に基づいて、動的にグループとコンテンツを結び付けることとしてもよい。【００５６】
ここでは、コンテンツのジャンルが「レストラン情報」の場合、「子連れ」のグループに対して「子連れでも気軽に入れるレストラン」に関するコンテンツが対応付けられている。また、例えばコンテンツのジャンルが「レジャー」の場合、「カップル」のグループに対して「話題の映画」に関するコンテンツが対応付けられている。【００５７】
関係判定部２１は、ユーザａ〜ｃが例えば「友人」のグループであると判断すると、「レストラン情報」に対応付けられている「リーズナブルな話題のお店」に関するコンテンツや「レジャー」に対応付けられている「ちょっとした暇つぶしのレジャー（ボーリングやビリヤード等）」に関するコンテンツをコンテンツＤＢ５１から抽出する。関係判定部２１は、コンテンツＤＢ５１からコンテンツを抽出する際、ジャンルを指定してコンテンツを抽出してもよい。この場合において、ユーザがコンテンツのジャンルを指定してもよいし、関係判定部２１がコンテンツ提供の場所や時間に応じて所定のジャンルを指定してもよい。【００５８】
情報表示部３１は、関係判定部２１が抽出したコンテンツを表示することによってユーザａ〜ｃに提供する（ステップＳ１４０）。このとき、情報表示部３１はグループ向けのコンテンツを大きく表示したり、お奨めとして目立つよう他の情報よりも優先的に表示させてもよい。【００５９】
なお、情報提供システム１００はユーザａ〜ｃにコンテンツを提供する場合に限られず、２人または４人以上のユーザにコンテンツを提供してもよい。この場合も、ユーザ毎の個人情報等を登録情報ＤＢ４１に登録しておき、ユーザ毎のユーザＩＤに基づいてグループを判別し、グループに応じたコンテンツを提供する。【００６０】
なお、本実施例１においては、グループ向け情報２２０が大画面表示装置９０内のコンテンツＤＢ５１に格納されている場合について説明したが、グループ向け情報２２０はコンテンツＤＢ５１に格納されている構成に限られず、例えばグループ向け情報２２０を外部装置であるコンテンツサーバに格納する構成としてもよい。この場合、インターネット接続等によって関係判定部２１とコンテンツサーバと接続する構成とし、関係判定部２１はコンテンツサーバからグループ向け情報２２０を取得することとする。【００６１】
このように実施例１によれば、ユーザａ〜ｃが構成するグループが所定の場所に位置する場合に、グループの種類（ユーザ同士の関係）に応じたコンテンツを提供するので、ユーザ個人に応じたコンテンツを提供する場合よりもユーザの状況に応じた適切なコンテンツを提供することが可能となる。【００６２】
また、コンテンツのプロバイダは、グループの種類に応じたコンテンツを提供するので、ユーザの各個人に対してコンテンツを作成して提供する場合よりも、少ないコストでコンテンツを作成することが可能になるとともに、コンテンツへのアクセスのヒット率を高めることが可能となる。したがって、所定のグループを構成するユーザに効率よくコンテンツ提供を行なうことが可能となる。【００６３】
また、大画面表示装置９０の近傍等の限られたスペースに位置する複数のユーザに対して情報を提供する際に、ユーザの関心度が高い情報を優先的に表示させるので、情報を提供する側、情報を享受する側（ユーザ）にとって効率よく情報を提供、享受することが可能となる。
【実施例２】
【００６４】
つぎに、図１１および図１２を用いてこの発明の実施例２について説明する。実施例２では、複数のユーザａ，ｂが携帯端末５Ａ，５Ｂを携帯し、携帯端末５Ａ，５Ｂから送信される情報に基づいて、ユーザａ，ｂが所定のグループを構成するか否かを判断し、グループに応じたコンテンツを提供する。ここでの携帯端末５Ａ，５Ｂが、図１において説明した実施例１の個人情報記憶装置３Ａ，３Ｂに対応する。【００６５】
図１１は、実施例２に係る情報提供システムの構成を示すシステム構成図である。情報提供システム１５０は、ユーザａ，ｂが携帯する携帯端末５Ａ，５Ｂ、基地局ネットワーク（通信ネットワーク）１０５、位置情報トラッキングサーバ（位置情報取得装置）２５、情報配信サーバ３５、グループ情報登録サーバ４５からなる。【００６６】
携帯端末５Ａ，５Ｂは、携帯電話やＰＨＳ（Personal  Handyphone  System）等のモバイル端末によって構成され、情報配信サーバ３５と接続する。携帯端末５Ａ，５Ｂは、所定の個人情報やグループ構成に関する情報（グループを構成するユーザに関する情報）を予めグループ情報登録サーバ４５に登録するとともに、情報配信サーバ３５からユーザａ，ｂが構成するグループに応じたコンテンツを受信する。【００６７】
グループ情報登録サーバ４５は、実施例１で説明した登録情報記憶装置４０（登録情報ＤＢ４１）に対応する。グループ情報登録サーバ４５は、ユーザａ，ｂから携帯端末５Ａ，５Ｂを介して予め登録される情報に基づいて登録個人情報２００、人間関係情報２１０を作成し記憶しておく。なお、ここでの登録個人情報２００、人間関係情報２１０内のユーザＩＤは携帯電話の電話番号をそのまま流用してもよい。【００６８】
基地局ネットワーク１０５は、複数の基地局１０６が接続されて構成され、各基地局１０６は携帯端末５Ａ，５Ｂと接続する。基地局ネットワーク１０５は、位置情報トラッキングサーバ２５と接続し、携帯端末５Ａ，５Ｂと接続する基地局１０６に関する情報等を位置情報トラッキングサーバ２５に送信する。【００６９】
位置情報トラッキングサーバ２５は、基地局ネットワーク１０５から送られる情報に基づいて携帯端末５Ａ，５Ｂの位置を検出する機能を有している。位置情報トラッキングサーバ２５は、携帯端末５Ａ，５Ｂと接続する基地局１０６の位置等に基づいて携帯端末５Ａ，５Ｂの位置をトラッキングする。位置情報トラッキングサーバ２５は、登録個人情報２００や人間関係情報２１０に基づいて複数のユーザが所定のグループを構成するか否かを判断するとともに、グループを構成しているユーザが一緒に行動しているか否かを判断する。すなわち、位置情報トラッキングサーバ２５は実施例１で説明した関係判定装置２０（関係判定部２１）に対応する機能を有している。位置情報トラッキングサーバ２５は、携帯端末５Ａ，５Ｂをトラッキングした際に、所定時間における携帯端末５Ａ，５Ｂの軌跡が所定の範囲内にあれば、ユーザａ，ｂは一緒に行動しているグループであると判断する。【００７０】
情報配信サーバ３５は、実施例１で説明した情報提供装置３０（コンテンツＤＢ５１、情報表示部３１）に対応する。すなわち、情報配信サーバ３５は位置情報トラッキングサーバ２５によって所定のグループであると判断されたユーザａ，ｂ（携帯端末５Ａ，５Ｂ）に対して、グループ向けコンテンツ情報２２０に基づいたコンテンツを配信する。【００７１】
つぎに、実施例２に係る情報提供システムの情報提供の動作手順を説明する。ここでは、ユーザａに対し、ユーザａとグループを構成するユーザｂが一緒に行動している場合について説明する。【００７２】
図１２は、実施例２に係る情報提供の動作手順を示すフローチャートである。ユーザａ，ｂは、予め携帯端末５Ａ，５Ｂによってグループ情報登録サーバ４５にアクセスし、ユーザａ，ｂのユーザＩＤとユーザａ，ｂの個人情報、グループに関する情報等を送信する。グループ情報登録サーバ４５は、携帯端末５Ａ，５Ｂから送信された情報に基づいて登録個人情報２００や人間関係情報２１０を作成し記憶する（ステップＳ２００）。【００７３】
基地局ネットワーク１０５内の各基地局１０６は、基地局１０６の通信エリア内のユーザａ（携帯端末５Ａ）の位置を認識し、携帯端末５Ａの位置に関する情報を位置情報トラッキングサーバ２５に送信する。【００７４】
位置情報トラッキングサーバ２５は、ユーザａとグループを構成するユーザ（ここではユーザｂ）を登録個人情報２００や人間関係情報２１０に基づいて抽出する（ステップＳ２１０）。位置情報トラッキングサーバ２５は、携帯端末５Ａ，５Ｂと接続する基地局１０６の位置等に基づいて携帯端末５Ａ，５Ｂの位置をトラッキングする（ステップＳ２２０）。位置情報トラッキングサーバ２５は、携帯端末５Ａ，５Ｂの位置をトラッキングすることによってユーザａとユーザｂが一緒に行動しているか否かを判断する（ステップＳ２３０）。【００７５】
位置情報トラッキングサーバ２５が、ユーザａ，ｂは所定の関係を有したグループであって一緒に行動していると判断すると、このグループに関する情報を情報配信サーバ３５に送信する【００７６】
情報配信サーバ３５は、グループ向けコンテンツ情報２２０に基づいて、位置情報トラッキングサーバ２５から受信した所定の関係を有したグループに対応するコンテンツを、ユーザａ〜ｃへの提供情報として抽出する。情報配信サーバ３５は、抽出したコンテンツに関する情報をユーザａ，ｂに提供（配信）する（ステップＳ２４０）。【００７７】
なお、情報提供システム１５０において、例えば携帯端末５Ａ，５Ｂが携帯電話等である場合、基地局ネットワーク１０５を携帯電話と契約をしている通信ネットワークとし、位置情報トラッキングサーバ２５、情報配信サーバ３５、グループ情報登録サーバ４５のいずれか又は全てを携帯電話の契約先のプロバイダとしてもよい。【００７８】
このように実施例２によれば、ユーザａ，ｂが構成するグループが行動を一緒にして移動する場合に、グループの属性に応じたコンテンツを提供するので、ユーザ個人に応じたコンテンツを提供する場合よりもユーザの状況に応じた適切なコンテンツを提供することが可能となる。
【実施例３】
【００７９】
さて、これまで本発明の実施例について説明したが、本発明は上述した実施例１、２以外にも、上記特許請求の範囲に記載した技術的思想の範囲内において種々の異なる実施例によって実施してもよいものである。【００８０】
例えば、実施例１では情報提供システム１００が１つの大画面表示装置９０を有し、大画面表示装置９０が登録情報ＤＢ４１やコンテンツＤＢ５１を備える構成とした場合について説明したが、情報提供システム１００はこの構成に限られるものではなく、情報提供システム（後述する情報提供システム１０１）が複数の大画面表示装置を有し、各大画面表示装置が登録情報ＤＢ４１やコンテンツＤＢ５１を備える構成としてもよい。【００８１】
図１３は、複数の大画面表示装置を有した情報提供システムの構成を示すシステム構成図である。図１３の各構成要素のうち図６に示す実施例１の情報提供システム１００と同一機能を達成する構成要素については同一番号を付しており、重複する説明は省略する。【００８２】
情報提供システム１０１は、ユーザａ〜ｆが携帯するＲＦＩＤ２Ａ〜２Ｆと大画面表示装置９１，９２からなる。ＲＦＩＤ２Ｄ〜２Ｆは、ＲＦＩＤ２Ａ〜２Ｃと同様の機能を有している。ここでは、ＲＦＩＤ２Ａ〜２Ｃに登録された情報が大画面表示装置９１のＲＦＩＤリーダ１１によって読み込まれ、ＲＦＩＤ２Ｄ〜２Ｆに登録された情報が大画面表示装置９２のＲＦＩＤリーダ１１によって読み込まれる場合を示している。【００８３】
大画面表示装置９１，９２は、ＲＦＩＤリーダ１１、関係判定部１２、情報表示部１３からなる。ここでの大画面表示装置９１，９２は各関係判定部２１が登録情報ＤＢ４１、コンテンツＤＢ５１と接続している。すなわち、大画面表示装置９１，９２は、１つの登録情報ＤＢ４１、コンテンツＤＢ５１を共有する構成となっている。【００８４】
これにより、大画面表示装置９１，９２はそれぞれ異なるグループを構成するユーザａ〜ｃ、ユーザｄ〜ｆが携帯するＲＦＩＤ２Ａ〜２ＣとＲＦＩＤ２Ｃ〜２Ｆを別々に認識し、登録情報ＤＢ４１、コンテンツＤＢ５１が格納する情報に基づいてそれぞれのグループに応じた適切なコンテンツを提供することが可能となる。【００８５】
このように、情報提供システム１０１は複数の大画面表示装置９１，９２を有する場合であっても、それぞれの大画面表示装置９１，９２が認識した各グループに応じたコンテンツを、簡易な構成で提供することが可能となる。なお、情報提供システム１０１は、２つの大画面表示装置９１，９２によって構成する場合に限られず、３つ以上の大画面表示装置によって構成してもよい。【００８６】
また、実施例１では情報提供システム１００が登録情報ＤＢ４１を有し、関係判定部２１が登録情報ＤＢ４１から登録個人情報２００や人間関係情報２１０を取得する場合について説明したが、情報提供システム１００はこの構成に限られるものではない。すなわち、情報提供システム１００の登録情報ＤＢ４１と外部の登録情報ＤＢ（後述する登録情報ＤＢ４３Ａ，４３Ｂ）を接続し、登録情報ＤＢ４１が外部の登録情報ＤＢから種々の個人情報等を取得し、取得した情報に基づいて登録個人情報２００や人間関係情報２１０を格納しておく構成としてもよい。なお、この場合において関係判定部２１が直接接続する登録情報ＤＢ４１は大画面表示装置９１に含まれる構成としてもよいし、登録情報ＤＢ４１を大画面表示装置９１とは異なる構成としてもよい。【００８７】
図１４は、登録情報ＤＢ同士が複数接続する情報提供システムの構成を示すシステム構成図である。図１４の各構成要素のうち図６および図１３に示す情報提供システム１００，１０１と同一機能を達成する構成要素については同一番号を付しており、重複する説明は省略する。なお、図１４においてはコンテンツＤＢ５１の図示を省略している。【００８８】
情報提供システム１０２は、ユーザａ〜ｃが携帯するＲＦＩＤ２Ａ〜２Ｃと大画面表示装置９１、登録情報ＤＢ４１、ＩＤ変換サーバ６１Ａ，６１Ｂ、登録情報ＤＢ４３Ａ，４３Ｂからなる。登録情報ＤＢ４３ＡはＩＤ変換サーバ６１Ａを介して登録情報ＤＢ４１と接続され、登録情報ＤＢ４３ＢはＩＤ変換サーバ６１Ｂを介して登録情報ＤＢ４１と接続されている。【００８９】
ＩＤ変換サーバ６１Ａ，６１Ｂは、登録情報ＤＢ４１に登録されている登録個人情報２００内のユーザＩＤや人間関係情報２１０内のユーザＩＤと、登録情報ＤＢ４３Ａ，４３Ｂ内に格納されている個人情報等のユーザＩＤを対応付けるサーバである。すなわち、
ＩＤ変換サーバ６１Ａ，６１Ｂは、登録情報ＤＢ４１に格納されているユーザＩＤに対応する個人情報を、このユーザＩＤに基づいて登録情報ＤＢ４３Ａ，４３Ｂから抽出し、登録情報ＤＢ４１に送信する。また、登録情報ＤＢ４３Ａ，４３Ｂに登録されている個人情報であって、登録情報ＤＢ４１に登録されていないユーザＩＤの個人情報に対しては、ＩＤ変換サーバ６１Ａ，６１ＢはユーザＩＤの対応付け等を行なわず、登録情報ＤＢ４３Ａ，４３Ｂに登録されている個人情報をそのまま登録情報ＤＢ４１に転送してもよい。【００９０】
これにより、登録情報ＤＢ４１は外部に設置されている登録情報ＤＢ４３Ａ，４３Ｂからも個人情報を取得でき、詳細な登録個人情報２００、人間関係情報２１０を格納しておくことが可能となる。したがって、関係判定部２１は、詳細な登録個人情報２００、人間関係情報２１０に基づいて、ユーザａ〜ｃが所定のグループを構成するか否かを判別することが可能となる。【００９１】
このように、情報提供システム１０１は詳細な登録個人情報２００、人間関係情報２１０に基づいてユーザａ〜ｃが所定のグループを構成するか否かを判別することが可能となるので、グループ毎に適切なコンテンツを提供することが可能となる。【００９２】
なお、情報提供システム１０２において、登録情報ＤＢ４３Ａ，４３Ｂから登録情報ＤＢ４１への個人情報等の提供は、登録情報ＤＢ４１からの要求に対して登録情報ＤＢ４３Ａ，４３Ｂが提供する構成としてもよいし、登録情報ＤＢ４３Ａ，４３Ｂが主体的に登録情報ＤＢ４１へ個人情報を送信する構成としてもよい。【００９３】
また、情報提供システム１０２において、登録情報ＤＢ４１が登録情報ＤＢ４３Ａ，４３Ｂから個人情報等を取得する場合に限られず、関係判定部２１が外部の登録情報ＤＢ４３Ａ，４３Ｂから直接、登録個人情報２００や人間関係情報２１０を取得する構成としてもよい。【００９４】
また、情報提供システム１０２において、登録情報ＤＢ４１と接続する外部の登録情報ＤＢは、登録情報ＤＢ４３Ａ，４３Ｂの２つに限られず、１つまたは３つ以上であってもよい。また、１つのＩＤ変換サーバが１つの外部の登録情報ＤＢに接続される場合に限られず、１つのＩＤ変換サーバが外部の複数の登録情報ＤＢと接続する構成としてもよい。【００９５】
また、実施例２では情報提供システム１５０が基地局ネットワーク１０５の基地局１０６から送信される情報に基づいてユーザａ，ｂの位置を検出した場合について説明したが、情報提供システム１５０はこの構成に限られるものではなく、例えばＧＰＳ（Global  Positioning  System）によってユーザａ，ｂの位置を検出することとしてもよい。【００９６】
図１５は、ＧＰＳを有した情報提供システムの構成を示すシステム構成図である。図１５の各構成要素のうち図１１に示す実施例２の情報提供システム１５０と同一機能を達成する構成要素については同一番号を付しており、重複する説明は省略する。【００９７】
情報提供システム１５１は、ユーザａ，ｂが携帯する携帯端末５Ａ，５Ｂ、ＧＰＳ６５、位置情報トラッキングサーバ２５、情報配信サーバ３５、グループ情報登録サーバ４５からなる。【００９８】
ＧＰＳ６５は、人工衛星等を含んで構成されており、携帯端末５Ａ，５Ｂの位置を検出するとともに、携帯端末５Ａ，５Ｂにそれぞれの位置に関する情報を送信する。ここでの携帯端末５Ａ，５Ｂは、ＧＰＳ６５によって自らの位置が検出され、ＧＰＳ６５から自らの位置に関する情報を取得する機能を有している。携帯端末５Ａ，５Ｂは、ＧＰＳ６５から取得した自らの位置に関する情報を位置情報トラッキングサーバ２５に送信する。【００９９】
なお、情報提供システム１５１において、例えば携帯端末５Ａ，５Ｂが携帯電話等である場合、位置情報トラッキングサーバ２５、情報配信サーバ３５、グループ情報登録サーバ４５のいずれか又は全てを携帯電話の契約先のプロバイダとしてもよいし、第３者プロバイダとしてもよい。携帯端末５Ａ，５Ｂに対して、位置情報トラッキングサーバ２５、情報配信サーバ３５、グループ情報登録サーバ４５のいずれか又は全てを第３者プロバイダとする場合、携帯端末５Ａ，５Ｂは、自らの位置に関する情報を第３者プロバイダとなる位置情報トラッキングサーバ２５に送信する。【０１００】
このように、携帯端末５Ａ，５ＢがＧＰＳ６５から取得した自らの位置に関する情報を位置情報トラッキングサーバ２５に送信するので、位置情報トラッキングサーバ２５は、携帯端末５Ａ，５Ｂの位置に関する情報に基づいて携帯端末５Ａ，５Ｂの位置をトラッキングすることが可能となる。【０１０１】
これにより、情報提供システム１５１は、ユーザａ，ｂが構成するグループが行動を一緒にする場合に、グループの属性に応じたコンテンツを提供することが可能となり、ユーザ個人に応じたコンテンツを提供する場合よりもユーザの状況に応じた適切なコンテンツを提供することが可能となる。【０１０２】
また、実施例２では情報提供システム１５０において、携帯端末５Ａ，５Ｂが１つの基地局ネットワーク１０５と接続する場合について説明したが、情報提供システム１５０はこの構成に限られるものではなく、例えば情報提供システムを、複数のプロバイダ等からなる複数種類のキャリア網（後述する基地局ネットワーク１１０Ａ，１１０Ｂ）を含んで構成してもよい。【０１０３】
図１６は、複数種類のキャリア網を有した情報提供システムの構成を示すシステム構成図である。図１６の各構成要素のうち図１１および図１５に示す情報提供システム１５０，１５１と同一機能を達成する構成要素については同一番号を付しており、重複する説明は省略する。【０１０４】
情報提供システム１５２は、ユーザａ，ｂが携帯する携帯端末５Ａ，５Ｂ、基地局ネットワーク１１０Ａ，１１０Ｂ、キャリア内サーバ１２０Ａ，１２０Ｂ、位置情報トラッキングサーバ２６Ａ，２６Ｂ、情報配信サーバ３５、グループ情報登録サーバ４５、グループ位置トラッキングサーバ７０からなる。【０１０５】
基地局ネットワーク１１０Ａは、キャリア内サーバ１２０Ａを介して位置情報トラッキングサーバ２６Ａと接続し、基地局ネットワーク１１０Ｂは、キャリア内サーバ１２０Ｂを介して位置情報トラッキングサーバ２６Ｂと接続する。ここでの位置情報トラッキングサーバ２６Ａ，２６Ｂは、実施例２で説明した位置情報トラッキングサーバ２５と同様の機能を有し、同様の動作を行なう。【０１０６】
位置情報トラッキングサーバ２６Ａ，２６Ｂは、それぞれグループ位置トラッキングサーバ７０を介して情報配信サーバ３５、グループ情報登録サーバ４５と接続している。ここでの基地局ネットワーク１１０Ａ，１１０Ｂは、それぞれ異なるプロバイダ等からなるキャリア網を有している。すなわち、基地局ネットワーク１１０Ａ，１１０Ｂはそれぞれ所定の携帯端末とのみ接続可能である。ここでは携帯端末５Ａが基地局ネットワーク１１０Ａ内の基地局１０６と接続し、携帯端末５Ｂが基地局ネットワーク１１０Ｂ内の基地局１０６と接続する。実施例２と同様にユーザａ，ｂは、予め携帯端末５Ａ，５Ｂによってグループ情報登録サーバ４５にアクセスし、ユーザａ，ｂのグループに関する情報等を送信しておく。【０１０７】
キャリア内サーバ１２０Ａ，１２０Ｂは、それぞれ基地局ネットワーク１１０Ａ，１１０Ｂと接続されるサーバであり、基地局ネットワーク１１０Ａ，１１０Ｂと接続する携帯端末５Ａ，５Ｂの管理等を行う。【０１０８】
ここでの情報提供システム１５２においては、グループ位置トラッキングサーバ７０が、登録個人情報２００や人間関係情報２１０に基づいて複数のユーザが所定のグループを構成するか否かを判断するとともに、グループを構成しているユーザが一緒に行動しているか否かを判断する。このため、グループ位置トラッキングサーバ７０が登録個人情報２００や人間関係情報２１０を格納するとともに、実施例１で説明した関係判定部２１に対応する機能を有している。【０１０９】
すなわち、単一キャリアのサービスで情報提供システムのサービスを提供する場合はキャリアのサーバ（グループ情報登録サーバ４５）に個人情報等がアップロードされたが、異なるキャリア間のユーザで個人情報等を登録してこのサービス提供する場合、キャリアと独立なサービスプロバイダ（グループ位置トラッキングサーバ７０）に、個人情報等の登録情報をアップロードする。【０１１０】
つぎに、情報提供システム１５２の情報提供の動作手順を説明する。ここでは、ユーザａに対し、ユーザａとグループを構成するユーザｂが一緒に行動している場合について説明する。【０１１１】
基地局ネットワーク１１０Ａ内の各基地局１０６は、基地局１０６の通信エリア内のユーザａ（携帯端末５Ａ）の位置を認識し、携帯端末５Ａの位置に関する情報をキャリア内サーバ１２０Ａを介して位置情報トラッキングサーバ２６Ａに送信する。【０１１２】
また、基地局ネットワーク１１０Ｂ内の各基地局１０６は、基地局１０６の通信エリア内のユーザｂ（携帯端末５Ｂ）の位置を認識し、携帯端末５Ｂの位置に関する情報をキャリア内サーバ１２０Ｂを介して位置情報トラッキングサーバ２６Ｂに送信する。【０１１３】
ここでの各位置情報トラッキングサーバ２６Ａ，２６Ｂは、それぞれユーザａ，ｂの位置をトラッキングし、ユーザａ，ｂの位置と移動に関する情報をグループ位置トラッキングサーバ７０に送信する。【０１１４】
グループ位置トラッキングサーバ７０は、ユーザａとグループを構成するユーザ（ここではユーザｂ）を登録個人情報２００や人間関係情報２１０に基づいて選出する（ステップＳ２１０）。【０１１５】
グループ位置トラッキングサーバ７０は、位置情報トラッキングサーバ２６Ａ，２６Ｂから送信されるユーザａ，ｂの位置と移動に関する情報に基づいてユーザａとユーザｂからなる所定のグループが一緒に行動しているか否かを判断する。【０１１６】
グループ位置トラッキングサーバ７０が、ユーザａ，ｂは所定の関係を有したグループであって一緒に行動していると判断すると、このグループに関する情報を情報配信サーバ３５に送信する。【０１１７】
情報配信サーバ３５は、グループ向けコンテンツ情報２２０に基づいて、グループ位置トラッキングサーバ７０から受信した所定の関係を有したグループに対応するコンテンツをユーザａ，ｂへの提供情報として抽出しユーザａ，ｂに提供する。【０１１８】
これにより、情報提供システム１５２を、複数種類のキャリア網である基地局ネットワーク１１０Ａ，１１０Ｂを含んで構成した場合であっても、ユーザａ，ｂの位置に関する情報をキャリア内サーバ１２０Ａ，１２０Ｂを介して位置情報トラッキングサーバ２６Ａ，２６Ｂに送信するので、位置情報トラッキングサーバ２６Ａ，２６Ｂは、携帯端末５Ａ，５Ｂの位置に関する情報に基づいて携帯端末５Ａ，５Ｂの位置をトラッキングすることが可能となる。【０１１９】
また、位置情報トラッキングサーバ２６Ａ，２６Ｂがグループ位置トラッキングサーバ７０にユーザａ，ｂの位置や移動に関する情報を送信するので、グループ位置トラッキングサーバ７０は、ユーザａ，ｂが一緒に行動しているか否かを判断することが可能となる。【０１２０】
これにより、情報提供システム１５２は、ユーザａ，ｂが構成するグループが行動を一緒にする場合に、グループの属性に応じたコンテンツを提供することが可能となり、ユーザ個人に応じたコンテンツを提供する場合よりもユーザの状況に応じた適切なコンテンツを提供することが可能となる。【０１２１】
また、情報提供システムの構成に限られず、本発明は上記特許請求の範囲に記載した技術的思想の範囲内において種々の異なる実施例によって実施されてもよいものである。そこで、以下に示すように、（１）ユーザＩＤの登録、（２）ＩＤの認識、（３）グループの登録とグループの認識、（４）グループに応じた情報の選択と提供、（５）所定の場所にいるグループの検出、（６）グルーピングの方法、（７）その他にそれぞれ区分けして異なる実施例を説明する。【０１２２】
（１）ユーザＩＤの登録
実施例１〜３においては、ユーザＩＤをＲＦＩＤ１Ａや携帯端末５Ａ等を介して登録する場合について説明したが、本発明はこれに限定されるものではく、種々のサービスを受ける際に発行されるＩＤや個人情報を登録する構成としてもよい。【０１２３】
すなわち、例えば実施例３の図１４で説明した情報提供システム１０２において、外部の登録情報ＤＢ４３Ａ，４３Ｂにユーザがサービスを受ける際に発行されるＩＤや個人情報を登録しておく。例えば、各種クレジットカード、定期券、切符、航空券、演劇・コンサート等のチケット、社員証/学生証、病院の診察券、銀行のＡＴＭカード、お店が発行するポイントカードや会員カード等の発行やサービスを受ける際に登録される情報を登録情報ＤＢ４３Ａ，４３Ｂに格納しておく。【０１２４】
これらのサービスはサービス時にカードの発行を行なうものであり、カードを発行する際に少なくともユーザの氏名等の情報をカードの発行元に提供している。カードの発行元が各ユーザのＩＤを管理するためのデータベースを登録情報ＤＢ４３Ａ，４３Ｂとすることによって、ユーザのＩＤに基づいて登録されている情報を取り出すことが可能となる。【０１２５】
また、カード（ＩＤ）を発行しないサービスであっても、公共料金（電気、ガス、水道、電話等）、インターネット接続サービス、インターネットから登録する会員サービス等のサービスを受ける際に所定のＩＤに対して登録情報を管理しているものがある。これらの事前に登録された情報を利用すれば、グループ向けの情報サービスのために個人情報等を登録する必要がなくなる。また、米国のソーシャルセキュリティナンバー等の全ての個人に割り振られたＩＤを利用してもよい。この場合、例えばＳＬＡ（Service  Level  Agreement）を結ぶことによってこれらのＩＤを利用したサービスを行なう。【０１２６】
（２）ＩＤ（ユーザＩＤ）の認識
本発明におけるＲＦＩＤ１Ａ等としては、無線（非接触）でＩＤを取り出すことができればよく、無線の方式としては例えば１３．５６ＭＨｚ帯、２．４５ＧＨｚ帯の電波を利用したものがある。また、これら以外の周波数を利用したものとして例えば赤外線、光、超音波等でＩＤを取り出すことができるものであってもよい。【０１２７】
また、ＲＦＩＤ１Ａ等はカード型である場合に限られず、ＩＤ情報をハードの中に組み込んだ携帯電話等であってもよく、生体認証（指紋、静脈認証、声紋、虹彩、顔画像認証等）によりＩＤを認識するものであってもよい。【０１２８】
なお、ＩＤの認識は情報提供システム１００等が所定の距離だけ離れた位置から能動的に取得して認識することとしてもよいし、プライバシーやセキュリティの問題を回避するため、ユーザが情報提供システム１００等によるグループに応じた情報の提供サービスを受ける際、ユーザがＩＤの取得を許可した場合のみＩＤを取得可能な構成としてもよい。【０１２９】
また、近距離型の非接触ＩＤカードや接触型のＩＤカード等を、ユーザが所定の場所（近距離型のＲＦＩＤリーダが設置された場所）に近づけることや、カードスロットに入れることによって、ユーザが明示的にＩＤを提示しＩＤを認識させることとしてもよい。【０１３０】
（３）グループの登録とグループの認識
所定のユーザ同士が所定のグループを構成する関係を有しているか否か（人間関係グループ）を判断する方法は、例えば情報提供システム１００等を提供するサービスプロバイダが予め固定カテゴリを用意する方法、予めグルーピングされた登録情報をサービスプロバイダが利用する方法、ユーザが独自に作ったカテゴリをサービスプロバイダが利用する方法等がある。【０１３１】
ユーザが直接、固定カテゴリに自分と関係のある人（ユーザ）を登録するようにしてもよいし、他のサービスを受ける際にＩＤを取得するために登録した情報から人間関係情報２１０を生成して登録してもよい。このようなグループを構成するメンバーに関する情報の登録は、携帯電話料金の家族向けの割引サービスを受ける際や、所定のサービスに対する料金の引き落とし口座を指定する際に、ユーザ等によってサービスの申し込み用紙等に記載される「本人との関係」を書く欄から判断して登録してもよい。【０１３２】
また、「本人との関係」が直接記載されていないような場合であっても、簡単なルールや常識を利用することによって、ユーザ間の関係を推論し利用することとしてもよい。例えば、Ａさんの所属が「Ｘ部」で役職が「部長」であり、Ｂさんの所属が「Ｘ部」で役職が「課長」であるという登録情報がある場合に、部長と課長は上司と部下の関係であるというルール（知識）を利用すると、ＡさんとＢさんのＩＤを認識した際に、２人は直属の上司と部下の関係であると推論できる。同様に、Ｓさんの情報としてＳさんとＹさんは家族（親子）であり、Ｐさんの情報としてＰさんとＳさんは兄弟であるという登録情報がある場合に親戚関係のルールを適用すれば、ＰさんとＳさんのＩＤを認識した際に、２人は親戚関係にあると推論できる。そして、これらの推論内容をグループ特性として、例えば上司と部下の関係に応じたコンテンツや親戚関係に応じたコンテンツを提供することが可能となる。これらの推論は独自で用意したルールを利用してもいいし、例えばＳｅｍａｎｔｉｃＷｅｂの技術等によりＷｅｂ上に存在するルールを参照してもよい。【０１３３】
これにより、グループ向けの情報サービスを受ける際に、ユーザが手間をかけて人間関係に関する情報を入力しなくても、所定のサービス提供会社等から人間関係に関する情報を取得してグループ向けの情報サービスを提供することが可能となる。【０１３４】
また、ユーザが携帯電話等を利用する場合に、情報提供システム１０２等がユーザによってアドレス帳等に登録した全ての人の位置をトラッキングし、よく一緒に行動する人を自動的に検出し、検出されたユーザに対してグループへの登録を促すこととしてもよい。また、ユーザ同士の対話等から親密度を分析する手段によって、知人から友人などの関係を自動判別するようなシステムと組み合わせてもよい。【０１３５】
また、ユーザ同士が構成するグループが同じ親子関係であっても、親子の年齢によって望まれるコンテンツが異なる。例えば、３０才の親で４才の子供を連れた親子と、７５才の親と４８才の子供からなる親子では、望まれるコンテンツが異なるため単純な親子関係だけでなく、年齢等の属性も加味してグループの関係認識を行なうこととしてもよい。【０１３６】
（４）グループに応じた情報の選択と提供
グループに応じた情報を選択して提供するため、グループ特性とコンテンツが１対１に結びつけられているようなケース以外に、コンテンツのジャンル毎にグループに応じたコンテンツの分類があり、そのコンテンツの分類に実際の個別のコンテンツを割り振り、これらをさらに別な条件（場所条件やユーザの好みに関する情報）によりフィルタリングして、ユーザに提供することとしてもよい。【０１３７】
また、グループ特性にコンテンツが複数マッチするような場合、マッチ度に応じてコンテンツをランキング形式で複数提供することとしてもよい。また、コンテンツ等の情報の提供はグループ特性を検出した際にプッシュによる方式で提供してもよいし、ユーザがコンテンツ等のメニューから所定のジャンルを選んだ時に表示されるコンテンツがグループに応じた情報となるよう提供することとしてもよい。また、情報表示部３１等へは通常の一般的なコンテンツを表示しておき、所定のグループを認識してグループに応じたコンテンツを判別した際に、グループに応じたコンテンツを目立たせる（大きくする、まわりを囲む、「おすすめ」などの文字を加える等）処理を行なって表示することとしてもよい。【０１３８】
（５）所定の場所にいるグループの検出
所定の場所に一緒にいるグループを検出する場合、複数のグループが同時に見つかる場合がある。この場合において、複数のグループ毎のコンテンツを１つの情報表示部３１等で表示する場合、グループが先に認識された順番で優先的に時分割によって情報表示部３１に表示するようにしてもよいし、情報表示部３１の画面のレイアウトをグループの人数比に応じて割り振って表示してもよいし、各グループのコンテンツ毎にカラーを作って色づけで区別して表示することとしてもよい。【０１３９】
また、所定のユーザに対してグループの組合せが複数考えられる場合は、その状況にいる多くの人にマッチするグルーピングを検出し、検出したグループに応じたコンテンツを提供してもよい。【０１４０】
（６）グルーピングの方法（過去の履歴の利用）
ユーザや所定のサービス提供会社によって、ユーザの個人情報等を登録情報ＤＢ４１等に登録しておく場合に限られず、ユーザの行動の過去の履歴に基づいてユーザの個人情報等を登録情報ＤＢ４１等に登録してもよい。【０１４１】
例えば、Ａ、Ｂ、Ｃさんの組合せでよく行く店はＸ、Ｙ、Ｚで、Ｘ、Ｙ、Ｚの共通属性は飲み屋であるとすると、Ａ、Ｂ、Ｃさんは「飲み友達」というグルーピングができる。また、Ａ、Ｄ、Ｅさんの組合せでよく行くところは、Ｓ、Ｔ、Ｕ、Ｖ、Ｗで、Ｓ、Ｔ、Ｕ、Ｖ、Ｗがゴルフ場だとすると、Ａ、Ｄ、Ｅさんは「ゴルフ友達」というグルーピングができる。【０１４２】
また、「ゴルフ友達」のグループには、ゴルフに関連する情報を単純に提供するだけでなく、ゴルフをする人に関連性が高い「サウナ」の情報を提供することとしてもよい。このように、グループを単純にコンテンツのジャンルに結びつけるのではなく、グループにコンテンツ提供の効果が高いと思われるコンテンツを提供することによって、コンテンツ提供の価値を上げることが可能となる。【０１４３】
（７）その他（情報提供システムによるサービス例）
会社等では、社員カードのほかに、ゲストにはゲストカードを渡すことがある。これにより、ユーザが社員同士でいる状態であるか、社員とゲストが一緒にいる状態であるかを判定することが可能となる。社員用の食堂やお客様向けの食堂、お客様がいるときに通る道の案内等の情報を表示する際にこれらの情報を利用することができる。【０１４４】
病院では、医者、看護婦、薬剤師、患者、患者の家族等の種別があり、これらによって構成されるグループに応じて提供するコンテンツを変えてもよい。例えば、同じ病状を説明するようなコンテンツであっても、医者と看護婦では治療の仕方がわかるようなコンテンツを提供し、医者と薬剤師では適用する薬関係の情報を共有できるコンテンツを提供し、患者と患者の家族では病気のわかりやすい表現や自己管理方法等のコンテンツを提供する等、コンテンツの提供の方法（内容）を変えてもよい。【０１４５】
また、情報提供システム１００等において、車が備える所定の装置（ＲＦＩＤリーダ１１等）に乗車者のＩＤを認識させ、このＩＤを有するユーザによって構成されるグループに応じたコンテンツをカーナビゲーション装置の表示画面に表示させてもよい。【０１４６】
また、情報提供システム１００等において、エレベータで同時に乗り合わせた人のＩＤをＲＦＩＤリーダ１１等に認識させ、認識できたグループに応じたコンテンツをエレベータ内のディスプレイ等（情報表示部３１）に表示させてもよい。また、例えば会議室等の閉空間にいるユーザを認識し、会議室に配設されている大型表示装置等に、そのユーザが構成するグループ向けの情報を表示させてもよい。【０１４７】
カーナビゲーションシステムのサービスを利用している複数台の車で、所定期間同じ経路を走っている場合に、複数台の車は一緒に行動していると判定し、この複数台の車からなるグループに応じた休憩ポイント等の情報提供を、各車のカーナビゲーションシステムを通じて行なうこととしてもよい。
【産業上の利用可能性】
【０１４８】
以上のように、本発明に係る情報提供システムおよび情報提供方法は、行動を共にするグループへの情報の提供に適している。
【図１】
2006085383.tif 000002
【図２】
2006085383.tif 000003
【図３】
2006085383.tif 000004
【図４】
2006085383.tif 000005
【図５】
2006085383.tif 000006
【図６】
2006085383.tif 000007
【図７】
2006085383.tif 000008
【図８】
2006085383.tif 000009
【図９】
2006085383.tif 000010
【図１０】
2006085383.tif 000011
【図１１】
2006085383.tif 000012
【図１２】
2006085383.tif 000013
【図１３】
2006085383.tif 000014
【図１４】
2006085383.tif 000015
【図１５】
2006085383.tif 000016
【図１６】
2006085383.tif 000017
【手続補正書】
【提出日】平成19年2月15日(2007.2.15)
【手続補正１】
【補正対象書類名】特許請求の範囲
【補正対象項目名】全文
【補正方法】変更
【補正の内容】
【特許請求の範囲】
【請求項１】
複数のユーザで構成されるグループに応じた情報を前記ユーザに提供する情報提供システムにおいて、
前記ユーザ毎に携帯され、前記ユーザを識別するユーザ識別情報を記憶して送信するユーザ識別情報記憶装置と、
前記ユーザ識別情報記憶装置が送信するユーザ識別情報を受信する情報取得装置と、
前記ユーザ識別情報に対応する前記ユーザの個人情報と前記ユーザ識別情報との対応付けに関する対応関係情報を記憶するユーザ情報記憶装置と、
前記グループの種類に対応付けられた情報であって、前記グループを構成するユーザに提供する情報を提供情報として記憶する提供情報記憶装置と、
前記情報取得装置が受信した複数のユーザ識別情報および前記ユーザ情報記憶装置が記憶する前記対応関係情報に基づいて、前記複数のユーザで構成されるグループの種類を判別するグループ判別装置と、
前記提供情報記憶部が記憶する提供情報の中から、前記グループ判別装置が判別した所定のグループの種類に応じた提供情報を抽出する提供情報抽出装置と、
前記提供情報抽出部が抽出した提供情報を、前記グループを構成するユーザに提供する情報提供装置と、
を備え、
前記グループ判別装置は、前記複数のユーザが行動を共にする所定の人間関係を有する場合に該人間関係をグループとしてグループの種類を判別することを特徴とする情報提供システム。
【請求項２】
前記グループ判別装置は複数からなり、前記ユーザ情報記憶装置は複数の前記グループ判別装置と接続することを特徴とする請求項１に記載の情報提供システム。
【請求項３】
前記グループ判別装置は複数からなり、前記提供情報記憶装置は複数の前記グループ判別装置と接続することを特徴とする請求項１または２に記載の情報提供システム。
【請求項４】
前記ユーザ情報記憶装置は複数からなり、前記ユーザ情報記憶装置は前記グループ判別装置または前記グループ判別装置と接続するユーザ情報記憶装置と接続することを特徴とする請求項１に記載の情報提供システム。
【請求項５】
前記情報提供装置は、前記提供情報を表示することを特徴とする請求項１に記載の情報提供システム。
【請求項６】
前記ユーザ識別情報記憶装置を携帯するユーザの移動に関する移動情報を取得する位置情報取得装置をさらに備え、
前記グループ判別装置は、前記位置情報取得装置が取得した移動情報に基づいて、前記ユーザ識別情報記憶装置を携帯するユーザが前記行動を共にする所定の人間関係を有するグループであるか否かを判断し、
前記情報提供装置は、前記提供情報を前記ユーザ識別情報記憶装置に送信することを特徴とする請求項１に記載の情報提供システム。
【請求項７】
前記位置情報取得装置は、前記ユーザ識別情報記憶装置と接続する通信ネットワークから前記ユーザ識別情報記憶装置を携帯するユーザの位置に関する情報を取得するとともに前記ユーザの位置をトラッキングして前記移動情報を取得することを特徴とする請求項６に記載の情報提供システム。
【請求項８】
前記通信ネットワークは複数の異なるキャリア網からなるとともに、各キャリア網がそれぞれのキャリア網に対応する前記位置情報取得装置と接続し、
前記グループ判別装置は、前記複数の位置情報取得装置と接続することを特徴とする請求項７に記載の情報提供システム。
【請求項９】
前記ユーザ識別情報記憶装置は、ＧＰＳによって自らの位置に関する情報をＧＰＳ位置情報として取得するとともに、該取得したＧＰＳ位置情報を前記位置情報取得装置に送信し、
前記位置情報取得装置は、前記ＧＰＳ位置情報に基づいて前記ユーザの位置をトラッキングし、前記移動情報を取得することを特徴とする請求項６に記載の情報提供システム。
【請求項１０】
複数のユーザで構成されるグループに応じた情報を前記ユーザに提供する情報提供方法において、
前記ユーザを識別するユーザ識別情報をユーザ毎に送信するユーザ識別情報送信ステップと、
前記ユーザ識別情報を受信する情報取得ステップと、
前記ユーザ識別情報に対応する前記ユーザ個人情報と前記ユーザ識別情報との対応付けに関する対応関係情報に基づいて、前記複数のユーザが行動を共にする所定の人間関係を有し、かつ複数のユーザで構成されるグループの種類を判別するグループ判別ステップと、
前記グループの種類に対応する情報であって、前記グループを構成するユーザに提供する提供情報の中から、前記判別された所定のグループの種類に応じた提供情報を抽出する提供情報抽出ステップと、
抽出した前記提供情報を、前記グループを構成するユーザに提供する情報提供ステップと、
を含むことを特徴とする情報提供方法。
【手続補正２】
【補正対象書類名】明細書
【補正対象項目名】全文
【補正方法】変更
【補正の内容】
【発明の詳細な説明】
【技術分野】
【０００１】
本発明は、グループに応じた情報を提供する情報提供システムおよび情報提供方法に関する。
【背景技術】
【０００２】
近年、マルチメディア技術の進展に伴い、テレビ、ラジオ、メール、Ｗｅｂ等のメディアよる情報や、街中のいたるところに見られるチラシ、ポスター、看板、掲示版による情報等、世の中には種々の情報があふれている。このような情報に対して各ユーザは、自分に必要な情報を取捨選択して、自分の行動に結びつけている。
【０００３】
しかしながら、情報過剰のために自らに必要な情報をうまく取り出して利用するのは困難になりつつある。このため、ユーザに対してユーザが利用しやすい情報を提供、取得することが望まれており、このようなユーザが利用しやすい情報の提供手段の開発が進められている。
【０００４】
例えば、各個人へ情報を推薦する技術（情報のパーソナライゼーション技術）として、各個人の通常の好みに基づいた情報を提供する方法、自分や他者の履歴、物の属性を参照して情報を提供するコンテンツフィルタリング、協調フィルタリングといったものが存在する。また、自らと関連性が薄い情報をカットする技術として、例えば情報フィルタリングがある。
【０００５】
このような従来の各個人へ情報を推薦する技術等は、個人へのカスタマイズを目指したものがほとんどであり、実際の人間が選択する行動に必ずしも合っているわけではなかった。すなわち、人の行動は個人に依存する場合と、その場に一緒にいる仲間、同僚、家族等の同伴者に影響される場合がある。換言すると、人は一緒にいる相手によってその時に行う行動が変化する。例えば、見る映画を選択する時に、個人的にはアクション映画が好きであっても、恋人と一緒にいるときは恋愛ものの映画を好むかもしれない。また、子供といっしょにいる時は、子供向けの映画を望むかもしれない。このように人の行動は個人の属性や趣味よりも一緒にいる人に影響を受けることも多い。
【０００６】
このため、所定のグループに対して所定の情報を提供する技術の開発が進められている。例えば、複数からなるユーザ（グループ）の位置に応じて、グループの位置に応じた情報を提供するシステムがある。
【０００７】
特許文献１に記載の状態検出システムは、複数の移動体の位置を個別に検出し、この検出した複数の移動体の位置関係が所定の判定条件を満たすか否かを判定し、判定結果に基づいて動作の切り換えを行っている。状態検出の判定における所定の判定条件には、例えば複数の移動体の位置が所定の領域内であるか否か、あるいはグループ内の所定数の移動体の位置が所定の領域内であるか否か、あるいは、複数の移動体が予め設定した順路内にあるか否か等の条件が含まれている。
【０００８】
【特許文献１】特開２００４−７４９６号公報
【発明の開示】
【発明が解決しようとする課題】
【０００９】
しかしながら、上記従来の技術では、複数の移動体の位置に応じて監視システム等の動作を切替えることはできるが、同伴者のグループ毎にグループに応じた情報を提供するこ
とはできないといった問題があった。
【００１０】
本発明は、上記に鑑みてなされたものであって、行動を共にする同伴者のグループに応じた情報を提供する情報提供システムおよび情報提供方法を得ることを目的とする。
【課題を解決するための手段】
【００１１】
上述した課題を解決し、目的を達成するために、本発明は、複数のユーザで構成されるグループに応じた情報を前記ユーザに提供する情報提供システムにおいて、前記ユーザ毎に携帯され、前記ユーザを識別するユーザ識別情報を記憶して送信するユーザ識別情報記憶装置と、前記ユーザ識別情報記憶装置が送信するユーザ識別情報を受信する情報取得装置と、前記ユーザ識別情報に対応する前記ユーザの個人情報と前記ユーザ識別情報との対応付けに関する対応関係情報を記憶するユーザ情報記憶装置と、前記グループの種類に対応付けられた情報であって、前記グループを構成するユーザに提供する情報を提供情報として記憶する提供情報記憶装置と、前記情報取得装置が受信した複数のユーザ識別情報および前記ユーザ情報記憶装置が記憶する前記対応関係情報に基づいて、前記複数のユーザで構成されるグループの種類を判別するグループ判別装置と、前記提供情報記憶部が記憶する提供情報の中から、前記グループ判別装置が判別した所定のグループの種類に応じた提供情報を抽出する提供情報抽出装置と、前記提供情報抽出部が抽出した提供情報を、前記グループを構成するユーザに提供する情報提供装置と、を備え、前記グループ判別装置は、前記複数のユーザが行動を共にする所定の人間関係を有する場合に該人間関係をグループとしてグループの種類を判別することを特徴とする。
【発明の効果】
【００１２】
複数のユーザが行動を共にする所定の人間関係を有する場合に各グループの種類に応じたコンテンツをユーザに提供するので、ユーザの状況に応じた適切なコンテンツを提供することが可能となる。
【発明を実施するための最良の形態】
【００１３】
以下に添付図面を参照して、この発明に係る情報提供システムおよび情報提供方法の効果的な実施の形態を詳細に説明する。なお、この実施例によりこの発明が限定されるものではない。
【実施例１】
【００１４】
図１は、本発明に係る情報提供システムの概念を説明するための概念図である。情報提供システム１００は、複数のユーザａ〜ｃを認識し、ユーザａ〜ｃに行動を共にする同伴者のグループに応じた情報を提供するシステムである。情報提供システムは、例えば所定の場所にいるグループや一緒に行動しているグループを認識し、認識したグループに対してグループの特性に応じた情報を提供する。
【００１５】
情報提供システム１００は、ユーザａが携帯する個人情報記憶装置３Ａ、ユーザｂが携帯する個人情報記憶装置３Ｂ、ユーザｃが携帯する個人情報記憶装置３Ｃ、情報取得装置１０、関係判定装置２０、情報提供装置３０、登録情報記憶装置４０を含んで構成される。
【００１６】
個人情報記憶装置（ユーザ識別情報記憶装置）３Ａ〜３Ｃは、ＲＦＩＤ（Radio  Frequency  Identification）タグや携帯端末等で構成され、情報取得装置１０と接続することによって情報取得装置１０に各ユーザａ〜ｃを識別する情報（ユーザ識別情報）（以下、ユーザＩＤという）を提供する。
【００１７】
情報取得装置１０は、ＲＦＩＤや携帯端末が有するユーザａ〜ｃのユーザＩＤを取得す
る装置であり、例えば後述するＲＦＩＤリーダ１１、位置情報トラッキングサーバ２５等によって構成される。
【００１８】
登録情報記憶装置（ユーザ情報記憶装置、提供情報記憶装置）４０は、複数のユーザａ〜ｃのユーザＩＤ、住所、氏名等の個人情報、グループに応じて提供するコンテンツ等（対応関係情報、提供情報）をグループ毎に記憶する装置であり、後述する登録情報ＤＢ（Data  Base）４１、コンテンツＤＢ５１、グループ情報登録サーバ４５、位置情報トラッキングサーバ２５等によって構成される。
【００１９】
関係判定装置（グループ判別装置、提供情報抽出装置）２０は、登録情報記憶装置４０が記憶する情報に基づいて、例えばユーザａと同伴しているユーザｂやユーザｃがユーザａと所定のグループを構成する関係を有しているか否か（所定の場所にいるグループや一緒に行動しているグループの特定）を判断する。関係判定装置２０は、所定のグループの種類に応じたコンテンツを登録情報記憶装置４０から抽出する。関係判定装置２０は、後述する関係判定部２１、グループ情報登録サーバ４５等によって構成される。
【００２０】
情報提供装置３０は、登録情報記憶装置４０が抽出したグループに応じたコンテンツ情報等をユーザａ〜ｃに提供する装置であり、後述する情報表示部３１、情報配信サーバ３５等によって構成される。
【００２１】
本実施例１において情報提供システム１００は、予めユーザａ〜ｃのユーザＩＤとユーザａ〜ｃの個人情報を登録情報記憶装置４０に格納しておく。情報取得装置１０は、例えば各ユーザａ〜ｃが携帯している個人情報記憶装置３Ａ〜３Ｃから、各ユーザａ〜ｃのユーザＩＤを取得し、関係判定装置２０はユーザａ〜ｃが所定の関係を構成するグループ（行動を共にする人間関係を有するグループ）に属しているか否かを判断する。このとき、関係判定装置２０は登録情報記憶装置４０が記憶するユーザａ〜ｃのユーザＩＤ、個人情報に基づいて、ユーザａ〜ｃが所定の関係に基づいたグループに属しているか否かを判断し、ユーザａ〜ｃが所定の場所にいるグループや一緒に行動しているグループであって、所定の関係を有したグループであると判断すると、提供情報記憶装置５０から所定の関係を有したグループに対応するコンテンツを抽出する。
関係判定装置２０が抽出したコンテンツは、情報提供装置３０によってユーザａ〜ｃに提供される。情報提供装置３０は、例えばコンテンツを大画面表示装置に表示することや携帯電話等に配信することによってユーザａ〜ｃにコンテンツを提供する。
【００２２】
図２は、いっしょにいる相手により提供するコンテンツが変わる一例を説明するための図である。ここでは、ユーザａ，ｂが有する個人情報記憶装置３Ａ，３Ｂがクレジットカード９Ａ，９Ｂであり、ユーザａ，ｃが有する個人情報記憶装置３Ａ，３Ｃがクレジットカード９Ａ，９Ｃである場合を示している。
【００２３】
情報提供システム１００は、クレジットカード９Ａ，９Ｂが記憶している情報と、登録情報記憶装置４０が記憶している情報に基づいてユーザａとユーザｂが所定のグループ（夫婦）であることを認識し、グループ「夫婦」に対応するコンテンツを大画面表示装置等の情報提供装置３０を介してユーザａ，ｂに提供する。
【００２４】
また、情報提供システム１００は、クレジットカード９Ａ，９Ｃが記憶している情報と、登録情報記憶装置４０が記憶している情報に基づいてユーザａとユーザｃが所定のグループ（親子）であることを認識し、グループ「親子」に対応するコンテンツを大画面表示装置等の情報提供装置３０を介してユーザａ，ｃに提供する。
【００２５】
つぎに、一緒に行動（移動）しているグループへのコンテンツ提供の概念を説明する。
図３は、個人情報記憶装置へのグループ登録の概念を説明するための図であり、図４は、複数のユーザの位置をトラッキングし、それらの人がいっしょに行動しているかを判断する処理の概念を説明するための図であり、図５は、ユーザに提供されるコンテンツの一覧表の一例を示す図である。
【００２６】
例えば、各ユーザａ〜ｃは、携帯電話等の個人情報記憶装置３Ａ〜３Ｃに所定のグループ登録を行なっておく。すなわち、各ユーザａ〜ｃは、個人情報記憶装置３Ａ〜３Ｃが備える「電話番号をグループ別に登録する機能」を利用して所定のグループ登録を行なっておく。例えば、ユーザａは自らの携帯電話においてアドレス等を登録するアドレス帳に固定のカテゴリを用意し、グループを構成するユーザを登録しておく。図３においては、「家族」のメンバーとしてユーザｂに対応する「富士  太郎」を登録し、「恋人」のメンバーとしてユーザｃに対応する「藤原涼子」を登録している場合をグループ登録の一例として示している。
【００２７】
各ユーザａ〜ｃは、個人情報記憶装置３Ａ〜３Ｃに登録されたグループに関する情報を、予め情報登録装置４０に送っておく。これにより、ユーザ間においてどのような関係を有しているかを登録することが可能となる。なお、ユーザのグループ登録は、情報サービス提供者が用意した固定カテゴリに、ユーザが知合いのアドレスを登録するようにしてもよい。すなわち、各ユーザａ〜ｃは、知合いのアドレスをそのつどサーバにアップしておいてもよい。
【００２８】
情報取得装置１０は、携帯電話と接続するアンテナや基地局を介して、ユーザａ〜ｃを認識するとともに、ユーザａ〜ｃの位置をトラッキングする。そして、関係判定装置２０はユーザａの携帯電話に登録されているユーザｂ，ｃがユーザａと一緒に行動しているか否かを判断する。
【００２９】
関係判定装置２０は、ユーザａ〜ｃが一緒に行動していると判断すると、登録情報記憶装置４０が記憶する情報に基づいてユーザａ〜ｃが構成するグループを判別する。関係判定装置２０は、一緒に行動するユーザａ〜ｃが構成するグループの種類（属性）応じて、ユーザａに提供するコンテンツを登録情報記憶装置４０から抽出する。
【００３０】
登録情報記憶装置４０から抽出したコンテンツは、情報提供装置３０がユーザａの携帯電話に配信すること等によってユーザａに提供する。情報提供装置３０は、例えば図５に示すように家族向けのコンテンツや恋人向けのコンテンツの一覧表を提供する。ユーザａは、情報提供装置３０から提供されたコンテンツの一覧表から所望のコンテンツを選択し、選択したコンテンツを取得する。これにより情報提供システム１００は、グループを構成しているユーザａ〜ｃに対しグループに応じたコンテンツを提供することが可能となる。
【００３１】
図６は、実施例１に係る情報提供システムの構成を示すシステム構成図である。ここでの情報提供システム１００は、ユーザａ〜ｃが携帯するＲＦＩＤ（ＲＦＩＤタグ）２Ａ〜２Ｃと大画面表示装置９０からなる。ここでのＲＦＩＤ２Ａ〜２Ｃは、例えばカード型で構成される。なお、ここでのＲＦＩＤ１Ａ〜１Ｃが請求の範囲に記載のユーザ識別情報記憶装置に対応する。
【００３２】
ＲＦＩＤ２Ａ〜２Ｃは、例えばＵＨＦ（Ultra  High  Frequency）帯のＲＦＩＤやＡｃｔｉｖｅＲＦＩＤ等によって構成される。ＲＦＩＤ２Ａ〜２Ｃには、ＲＦＩＤ２Ａ〜２Ｃを各ユーザａ〜ｃに発行する際に、各ユーザに対応した種々の情報が登録されている。ＲＦＩＤ２Ａ〜２Ｃは、所定のサービスを提供する会社等が発行する家族会員カードや法人カード等であってもよい。この場合、家族会員カードや法人カード等に設定登録された情
報を、ＲＦＩＤ２Ａ〜２Ｃが格納する各ユーザａ〜ｃの個人情報としてそのまま流用してもよい。
【００３３】
大画面表示装置９０は、大画面表示装置９０の近くに位置する複数のユーザａ〜ｃに情報を提供するため、所定の情報（コンテンツ）等を表示する装置である。大画面表示装置９０は、例えばレストラン街にあるレストラン一覧表示画面として機能する。大画面表示装置９０は、ＲＦＩＤリーダ１１、関係判定部２１、情報表示部３１、登録情報ＤＢ４１、コンテンツＤＢ５１を備えている。
【００３４】
なお、ここでのＲＦＩＤリーダ１１が請求の範囲に記載の情報取得装置に対応し、関係判定部２１がグループ判別装置および提供情報抽出装置に対応し、情報表示部３１がユーザ情報記憶装置に対応し、登録情報ＤＢ４１が情報提供装置に対応し、コンテンツＤＢ５１が提供情報記憶装置に対応する。
【００３５】
ＲＦＩＤリーダ１１は、大画面表示装置９０（ＲＦＩＤリーダ１１）から所定の距離（例えば２ｍ）だけ離れたＲＦＩＤ２Ａ〜２ＣからＲＦＩＤ２Ａ〜２Ｃが有する情報（ユーザＩＤ）を読み出す。ＲＦＩＤリーダ１１は、例えば大画面表示装置９０の前方に位置するＲＦＩＤ２Ａ〜２Ｃを認識することによってＲＦＩＤ２Ａ〜２Ｃを携帯するユーザａ〜ｃを認識する。
【００３６】
登録情報ＤＢ４１は、予め登録されたユーザａ〜ｃがどのようなグループを構成するかを判断するための情報（後述する登録個人情報２００、人間関係情報２１０）を記憶する。登録情報ＤＢ４１には、例えば登録個人情報２００としてユーザＩＤ毎にユーザＩＤに対応する種々の情報（個人情報等）が登録されている。コンテンツＤＢ５１は、グループ毎にグループに対応するコンテンツを、コンテンツのジャンル別に格納する。
【００３７】
関係判定部２１は、ＲＦＩＤリーダ１１が読み出したユーザａ〜ｃのユーザＩＤ、登録情報ＤＢ４１に格納されている情報に基づいて、ユーザａ〜ｃが所定の関係を有したグループを構成しているか否かを判断する。関係判定装置２０は、例えばユーザａ〜ｃが友人同士であり、「友人関係」のグループを構成すると判断する。関係判定部２１は、ユーザａ〜ｃが所定の関係を有すると判定したグループと、コンテンツＤＢ５１が格納する情報に基づいて、ユーザａ〜ｃのグループに応じたコンテンツを抽出する。
【００３８】
情報表示部３１は、例えば液晶ディスプレイ装置やプラズマディスプレイ装置を含んで構成され、関係判定装置２０が抽出したコンテンツを表示する。情報表示部３１は、例えばユーザａ〜ｃのグループに応じたレストラン情報のコンテンツとして「リーズナブルな話題のお店」等を表示する。
【００３９】
なお、ここでは大画面表示装置９０が登録情報ＤＢ４１、コンテンツＤＢ５１を備える構成としたが、登録情報ＤＢ４１、コンテンツＤＢ５１は大画面表示装置９０と異なる別の構成としてもよい。例えば、コンテンツＤＢ５１が格納する情報を所定のサーバ（コンテンツサーバ）に格納しておき、大画面表示装置９０（関係判定部２１）がこのサーバにアクセスすることによってコンテンツＤＢ５１が格納する情報を取得する。
【００４０】
また、ここでは大画面表示装置９０がＲＦＩＤリーダ１１、関係判定部２１を備える構成としたが、ＲＦＩＤリーダ１１、関係判定部２１は大画面表示装置９０と異なる別の構成としてもよい。
【００４１】
つぎに、実施例１に係る情報提供システムの情報提供の動作手順を説明する。図７は、実施例１に係る情報提供の動作手順を示すフローチャートである。登録情報ＤＢ４１は、
予めユーザａ〜ｃのユーザＩＤとユーザａ〜ｃの個人情報等を記憶しておく（ステップＳ１００）。
【００４２】
ここで、登録情報ＤＢ４１に格納しておく情報（登録個人情報２００、人間関係情報２１０）について説明する。図８は、登録情報ＤＢが格納する登録個人情報の構成を示す図であり、図９は登録情報ＤＢが格納する人間関係情報の構成を示す図である。
【００４３】
登録個人情報２００は、ユーザＩＤ毎の個人情報からなる。ここでの個人情報としては、例えばユーザの住所、氏名、勤務先等がある。人間関係情報２１０は、複数のユーザＩＤで構成されるグループを示す情報である。ここでの人間関係情報２１０は、ユーザＩＤがＩＤ１、ＩＤ２からなるユーザのグループは「家族」の関係を有し、ユーザＩＤがＩＤ１０〜ＩＤ１５からなるユーザのグループは「友人」の関係を有し、ユーザＩＤがＩＤ２０〜ＩＤ２５からなるユーザのグループは「会社の同僚」の関係を有する場合を示している。
【００４４】
ＲＦＩＤリーダ１１は、ユーザａ〜ｃがＲＦＩＤリーダ１１に対して所定の距離だけ近付くと、各ユーザａ〜ｃが携帯しているＲＦＩＤ２Ａ〜２Ｃを読み取り、各ユーザａ〜ｃのユーザＩＤを取得する（ステップＳ１１０）。
【００４５】
関係判定部２１は、例えばユーザａ〜ｃが所定の関係に基づいたグループに属している（ユーザａ〜ｃが一緒にいる）か否かを、ユーザａ〜ｃのユーザＩＤ、登録情報ＤＢ４１が記憶する登録個人情報２００や人間関係情報２１０に基づいて判定する（ステップＳ１２０）。ここでのグループは、複数人のユーザで構成される人間関係が存在するか否かに基づいて判定される。
【００４６】
まず、関係判定部２１が登録個人情報２００に基づいてグループを判定する場合について説明する。例えば、関係判定部２１は、ユーザａのユーザＩＤに対応する勤務先の所属部署と、ユーザｂのユーザＩＤに対応する勤務先の所属部署が同一の場合、ユーザａとユーザｂは会社の仲間であると判断する。また、関係判定部２１はユーザａのユーザＩＤに対応する役職とユーザｂのユーザＩＤに対応する役職に基づいて、ユーザａとユーザｂは会社の仲間であって上司と部下の関係または同僚等の関係（グループ）であると判断する。
【００４７】
つぎに、関係判定部２１が人間関係情報２１０に基づいてグループを判定する場合について説明する。関係判定部２１は、例えばユーザａのユーザＩＤがＩＤ１に対応し、ユーザｂのユーザＩＤがＩＤ２に対応する場合、ユーザａとユーザｂは家族であると判断する。
【００４８】
関係判定部２１がユーザａ〜ｃのユーザＩＤ、登録個人情報２００や人間関係情報２１０に基づいて判定するグループとしては、例えば血縁関係である親子、夫婦、祖父や祖母と孫、家族等、知人関係である恋人、友人（異性）、友人（同性）、知り合い、社会的関係である会社の同僚、上司と部下、顧客と供給者（営業マン）、先生と生徒等がある。
【００４９】
関係判定部２１がユーザａ〜ｃのユーザＩＤ、登録個人情報２００や人間関係情報２１０に基づいて判定するグループとしては、これらの固定的な枠組みによる関係に限られず、例えば、頻繁に飲みに行く仲間、スポーツ仲間、旅行仲間等の行動を共にすることが多いグループであってもよい。
【００５０】
関係判定部２１が、ユーザａ〜ｃは所定の場所にいるグループであって、所定の関係を有したグループであると判断すると（ステップＳ１３０）、このグループとコンテンツＤ
Ｂ５１が格納する情報（後述するグループ向けコンテンツ情報２２０）に基づいて、所定の関係を有したグループに対応するコンテンツをユーザａ〜ｃへの提供情報として抽出する。
【００５１】
ここで、コンテンツＤＢ５１に格納しておくグループ向けコンテンツ情報２２０について説明する。図１０は、コンテンツＤＢが格納するグループ向けコンテンツ情報の構成を示す図である。
【００５２】
グループ向けコンテンツ情報２２０は、コンテンツの提供対象となるグループ（対象グループ）毎の、各グループに対応するコンテンツのジャンル別の情報である。すなわち、コンテンツＤＢ５１は、グループ向けコンテンツ情報２２０として、予め所定の人間関係に結び付けられたコンテンツの情報である。例えば、「レストラン情報」の場合、「家族」向けのコンテンツとして「メニューの選択肢が多く、子供用の席などが充実した店」に関するコンテンツを対応付けておく。
【００５３】
グループ向けコンテンツ情報２２０としては、グループとコンテンツを直接対応付ける場合に限られず、事例ベース推論（例えば、「家族はＡレストランによく行く」などの事例に基づいて最も適切な組合せを推論する仕組み）に基づいて、動的にグループとコンテンツを結び付けることとしてもよい。
【００５４】
ここでは、コンテンツのジャンルが「レストラン情報」の場合、「子連れ」のグループに対して「子連れでも気軽に入れるレストラン」に関するコンテンツが対応付けられている。また、例えばコンテンツのジャンルが「レジャー」の場合、「カップル」のグループに対して「話題の映画」に関するコンテンツが対応付けられている。
【００５５】
関係判定部２１は、ユーザａ〜ｃが例えば「友人」のグループであると判断すると、「レストラン情報」に対応付けられている「リーズナブルな話題のお店」に関するコンテンツや「レジャー」に対応付けられている「ちょっとした暇つぶしのレジャー（ボーリングやビリヤード等）」に関するコンテンツをコンテンツＤＢ５１から抽出する。関係判定部２１は、コンテンツＤＢ５１からコンテンツを抽出する際、ジャンルを指定してコンテンツを抽出してもよい。この場合において、ユーザがコンテンツのジャンルを指定してもよいし、関係判定部２１がコンテンツ提供の場所や時間に応じて所定のジャンルを指定してもよい。
【００５６】
情報表示部３１は、関係判定部２１が抽出したコンテンツを表示することによってユーザａ〜ｃに提供する（ステップＳ１４０）。このとき、情報表示部３１はグループ向けのコンテンツを大きく表示したり、お奨めとして目立つよう他の情報よりも優先的に表示させてもよい。
【００５７】
なお、情報提供システム１００はユーザａ〜ｃにコンテンツを提供する場合に限られず、２人または４人以上のユーザにコンテンツを提供してもよい。この場合も、ユーザ毎の個人情報等を登録情報ＤＢ４１に登録しておき、ユーザ毎のユーザＩＤに基づいてグループを判別し、グループに応じたコンテンツを提供する。
【００５８】
なお、本実施例１においては、グループ向け情報２２０が大画面表示装置９０内のコンテンツＤＢ５１に格納されている場合について説明したが、グループ向け情報２２０はコンテンツＤＢ５１に格納されている構成に限られず、例えばグループ向け情報２２０を外部装置であるコンテンツサーバに格納する構成としてもよい。この場合、インターネット接続等によって関係判定部２１とコンテンツサーバと接続する構成とし、関係判定部２１はコンテンツサーバからグループ向け情報２２０を取得することとする。
【００５９】
このように実施例１によれば、ユーザａ〜ｃが構成するグループが所定の場所に位置する場合に、グループの種類（ユーザ同士の関係）に応じたコンテンツを提供するので、ユーザ個人に応じたコンテンツを提供する場合よりもユーザの状況に応じた適切なコンテンツを提供することが可能となる。
【００６０】
また、コンテンツのプロバイダは、グループの種類に応じたコンテンツを提供するので、ユーザの各個人に対してコンテンツを作成して提供する場合よりも、少ないコストでコンテンツを作成することが可能になるとともに、コンテンツへのアクセスのヒット率を高めることが可能となる。したがって、所定のグループを構成するユーザに効率よくコンテンツ提供を行なうことが可能となる。
【００６１】
また、大画面表示装置９０の近傍等の限られたスペースに位置する複数のユーザに対して情報を提供する際に、ユーザの関心度が高い情報を優先的に表示させるので、情報を提供する側、情報を享受する側（ユーザ）にとって効率よく情報を提供、享受することが可能となる。
【実施例２】
【００６２】
つぎに、図１１および図１２を用いてこの発明の実施例２について説明する。実施例２では、複数のユーザａ，ｂが携帯端末５Ａ，５Ｂを携帯し、携帯端末５Ａ，５Ｂから送信される情報に基づいて、ユーザａ，ｂが所定のグループを構成するか否かを判断し、グループに応じたコンテンツを提供する。ここでの携帯端末５Ａ，５Ｂが、図１において説明した実施例１の個人情報記憶装置３Ａ，３Ｂに対応する。
【００６３】
図１１は、実施例２に係る情報提供システムの構成を示すシステム構成図である。情報提供システム１５０は、ユーザａ，ｂが携帯する携帯端末５Ａ，５Ｂ、基地局ネットワーク（通信ネットワーク）１０５、位置情報トラッキングサーバ（位置情報取得装置）２５、情報配信サーバ３５、グループ情報登録サーバ４５からなる。
【００６４】
携帯端末５Ａ，５Ｂは、携帯電話やＰＨＳ（Personal  Handyphone  System）等のモバイル端末によって構成され、情報配信サーバ３５と接続する。携帯端末５Ａ，５Ｂは、所定の個人情報やグループ構成に関する情報（グループを構成するユーザに関する情報）を予めグループ情報登録サーバ４５に登録するとともに、情報配信サーバ３５からユーザａ，ｂが構成するグループに応じたコンテンツを受信する。
【００６５】
グループ情報登録サーバ４５は、実施例１で説明した登録情報記憶装置４０（登録情報ＤＢ４１）に対応する。グループ情報登録サーバ４５は、ユーザａ，ｂから携帯端末５Ａ，５Ｂを介して予め登録される情報に基づいて登録個人情報２００、人間関係情報２１０を作成し記憶しておく。なお、ここでの登録個人情報２００、人間関係情報２１０内のユーザＩＤは携帯電話の電話番号をそのまま流用してもよい。
【００６６】
基地局ネットワーク１０５は、複数の基地局１０６が接続されて構成され、各基地局１０６は携帯端末５Ａ，５Ｂと接続する。基地局ネットワーク１０５は、位置情報トラッキングサーバ２５と接続し、携帯端末５Ａ，５Ｂと接続する基地局１０６に関する情報等を位置情報トラッキングサーバ２５に送信する。
【００６７】
位置情報トラッキングサーバ２５は、基地局ネットワーク１０５から送られる情報に基づいて携帯端末５Ａ，５Ｂの位置を検出する機能を有している。位置情報トラッキングサーバ２５は、携帯端末５Ａ，５Ｂと接続する基地局１０６の位置等に基づいて携帯端末５Ａ，５Ｂの位置をトラッキングする。位置情報トラッキングサーバ２５は、登録個人情報２００や人間関係情報２１０に基づいて複数のユーザが所定のグループを構成するか否かを判断するとともに、グループを構成しているユーザが一緒に行動しているか否かを判断する。すなわち、位置情報トラッキングサーバ２５は実施例１で説明した関係判定装置２０（関係判定部２１）に対応する機能を有している。位置情報トラッキングサーバ２５は、携帯端末５Ａ，５Ｂをトラッキングした際に、所定時間における携帯端末５Ａ，５Ｂの軌跡が所定の範囲内にあれば、ユーザａ，ｂは一緒に行動しているグループであると判断する。
【００６８】
情報配信サーバ３５は、実施例１で説明した情報提供装置３０（コンテンツＤＢ５１、情報表示部３１）に対応する。すなわち、情報配信サーバ３５は位置情報トラッキングサーバ２５によって所定のグループであると判断されたユーザａ，ｂ（携帯端末５Ａ，５Ｂ）に対して、グループ向けコンテンツ情報２２０に基づいたコンテンツを配信する。
【００６９】
つぎに、実施例２に係る情報提供システムの情報提供の動作手順を説明する。ここでは、ユーザａに対し、ユーザａとグループを構成するユーザｂが一緒に行動している場合について説明する。
【００７０】
図１２は、実施例２に係る情報提供の動作手順を示すフローチャートである。ユーザａ，ｂは、予め携帯端末５Ａ，５Ｂによってグループ情報登録サーバ４５にアクセスし、ユーザａ，ｂのユーザＩＤとユーザａ，ｂの個人情報、グループに関する情報等を送信する。グループ情報登録サーバ４５は、携帯端末５Ａ，５Ｂから送信された情報に基づいて登録個人情報２００や人間関係情報２１０を作成し記憶する（ステップＳ２００）。
【００７１】
基地局ネットワーク１０５内の各基地局１０６は、基地局１０６の通信エリア内のユーザａ（携帯端末５Ａ）の位置を認識し、携帯端末５Ａの位置に関する情報を位置情報トラッキングサーバ２５に送信する。
【００７２】
位置情報トラッキングサーバ２５は、ユーザａとグループを構成するユーザ（ここではユーザｂ）を登録個人情報２００や人間関係情報２１０に基づいて抽出する（ステップＳ２１０）。位置情報トラッキングサーバ２５は、携帯端末５Ａ，５Ｂと接続する基地局１０６の位置等に基づいて携帯端末５Ａ，５Ｂの位置をトラッキングする（ステップＳ２２０）。位置情報トラッキングサーバ２５は、携帯端末５Ａ，５Ｂの位置をトラッキングすることによってユーザａとユーザｂが一緒に行動しているか否かを判断する（ステップＳ２３０）。
【００７３】
位置情報トラッキングサーバ２５が、ユーザａ，ｂは所定の関係を有したグループであって一緒に行動していると判断すると、このグループに関する情報を情報配信サーバ３５に送信する。
【００７４】
情報配信サーバ３５は、グループ向けコンテンツ情報２２０に基づいて、位置情報トラッキングサーバ２５から受信した所定の関係を有したグループに対応するコンテンツを、ユーザａ〜ｃへの提供情報として抽出する。情報配信サーバ３５は、抽出したコンテンツに関する情報をユーザａ，ｂに提供（配信）する（ステップＳ２４０）。
【００７５】
なお、情報提供システム１５０において、例えば携帯端末５Ａ，５Ｂが携帯電話等である場合、基地局ネットワーク１０５を携帯電話と契約をしている通信ネットワークとし、位置情報トラッキングサーバ２５、情報配信サーバ３５、グループ情報登録サーバ４５のいずれか又は全てを携帯電話の契約先のプロバイダとしてもよい。
【００７６】
このように実施例２によれば、ユーザａ，ｂが構成するグループが行動を一緒にして移
動する場合に、グループの属性に応じたコンテンツを提供するので、ユーザ個人に応じたコンテンツを提供する場合よりもユーザの状況に応じた適切なコンテンツを提供することが可能となる。
【実施例３】
【００７７】
さて、これまで本発明の実施例について説明したが、本発明は上述した実施例１、２以外にも、上記特許請求の範囲に記載した技術的思想の範囲内において種々の異なる実施例によって実施してもよいものである。
【００７８】
例えば、実施例１では情報提供システム１００が１つの大画面表示装置９０を有し、大画面表示装置９０が登録情報ＤＢ４１やコンテンツＤＢ５１を備える構成とした場合について説明したが、情報提供システム１００はこの構成に限られるものではなく、情報提供システム（後述する情報提供システム１０１）が複数の大画面表示装置を有し、各大画面表示装置が登録情報ＤＢ４１やコンテンツＤＢ５１を備える構成としてもよい。
【００７９】
図１３は、複数の大画面表示装置を有した情報提供システムの構成を示すシステム構成図である。図１３の各構成要素のうち図６に示す実施例１の情報提供システム１００と同一機能を達成する構成要素については同一番号を付しており、重複する説明は省略する。
【００８０】
情報提供システム１０１は、ユーザａ〜ｆが携帯するＲＦＩＤ２Ａ〜２Ｆと大画面表示装置９１，９２からなる。ＲＦＩＤ２Ｄ〜２Ｆは、ＲＦＩＤ２Ａ〜２Ｃと同様の機能を有している。ここでは、ＲＦＩＤ２Ａ〜２Ｃに登録された情報が大画面表示装置９１のＲＦＩＤリーダ１１によって読み込まれ、ＲＦＩＤ２Ｄ〜２Ｆに登録された情報が大画面表示装置９２のＲＦＩＤリーダ１１によって読み込まれる場合を示している。
【００８１】
大画面表示装置９１，９２は、ＲＦＩＤリーダ１１、関係判定部１２、情報表示部１３からなる。ここでの大画面表示装置９１，９２は各関係判定部２１が登録情報ＤＢ４１、コンテンツＤＢ５１と接続している。すなわち、大画面表示装置９１，９２は、１つの登録情報ＤＢ４１、コンテンツＤＢ５１を共有する構成となっている。
【００８２】
これにより、大画面表示装置９１，９２はそれぞれ異なるグループを構成するユーザａ〜ｃ、ユーザｄ〜ｆが携帯するＲＦＩＤ２Ａ〜２ＣとＲＦＩＤ２Ｃ〜２Ｆを別々に認識し、登録情報ＤＢ４１、コンテンツＤＢ５１が格納する情報に基づいてそれぞれのグループに応じた適切なコンテンツを提供することが可能となる。
【００８３】
このように、情報提供システム１０１は複数の大画面表示装置９１，９２を有する場合であっても、それぞれの大画面表示装置９１，９２が認識した各グループに応じたコンテンツを、簡易な構成で提供することが可能となる。なお、情報提供システム１０１は、２つの大画面表示装置９１，９２によって構成する場合に限られず、３つ以上の大画面表示装置によって構成してもよい。
【００８４】
また、実施例１では情報提供システム１００が登録情報ＤＢ４１を有し、関係判定部２１が登録情報ＤＢ４１から登録個人情報２００や人間関係情報２１０を取得する場合について説明したが、情報提供システム１００はこの構成に限られるものではない。すなわち、情報提供システム１００の登録情報ＤＢ４１と外部の登録情報ＤＢ（後述する登録情報ＤＢ４３Ａ，４３Ｂ）を接続し、登録情報ＤＢ４１が外部の登録情報ＤＢから種々の個人情報等を取得し、取得した情報に基づいて登録個人情報２００や人間関係情報２１０を格納しておく構成としてもよい。なお、この場合において関係判定部２１が直接接続する登録情報ＤＢ４１は大画面表示装置９１に含まれる構成としてもよいし、登録情報ＤＢ４１を大画面表示装置９１とは異なる構成としてもよい。
【００８５】
図１４は、登録情報ＤＢ同士が複数接続する情報提供システムの構成を示すシステム構成図である。図１４の各構成要素のうち図６および図１３に示す情報提供システム１００，１０１と同一機能を達成する構成要素については同一番号を付しており、重複する説明は省略する。なお、図１４においてはコンテンツＤＢ５１の図示を省略している。
【００８６】
情報提供システム１０２は、ユーザａ〜ｃが携帯するＲＦＩＤ２Ａ〜２Ｃと大画面表示装置９１、登録情報ＤＢ４１、ＩＤ変換サーバ６１Ａ，６１Ｂ、登録情報ＤＢ４３Ａ，４３Ｂからなる。登録情報ＤＢ４３ＡはＩＤ変換サーバ６１Ａを介して登録情報ＤＢ４１と接続され、登録情報ＤＢ４３ＢはＩＤ変換サーバ６１Ｂを介して登録情報ＤＢ４１と接続されている。
【００８７】
ＩＤ変換サーバ６１Ａ，６１Ｂは、登録情報ＤＢ４１に登録されている登録個人情報２００内のユーザＩＤや人間関係情報２１０内のユーザＩＤと、登録情報ＤＢ４３Ａ，４３Ｂ内に格納されている個人情報等のユーザＩＤを対応付けるサーバである。すなわち、
ＩＤ変換サーバ６１Ａ，６１Ｂは、登録情報ＤＢ４１に格納されているユーザＩＤに対応する個人情報を、このユーザＩＤに基づいて登録情報ＤＢ４３Ａ，４３Ｂから抽出し、登録情報ＤＢ４１に送信する。また、登録情報ＤＢ４３Ａ，４３Ｂに登録されている個人情報であって、登録情報ＤＢ４１に登録されていないユーザＩＤの個人情報に対しては、ＩＤ変換サーバ６１Ａ，６１ＢはユーザＩＤの対応付け等を行なわず、登録情報ＤＢ４３Ａ，４３Ｂに登録されている個人情報をそのまま登録情報ＤＢ４１に転送してもよい。
【００８８】
これにより、登録情報ＤＢ４１は外部に設置されている登録情報ＤＢ４３Ａ，４３Ｂからも個人情報を取得でき、詳細な登録個人情報２００、人間関係情報２１０を格納しておくことが可能となる。したがって、関係判定部２１は、詳細な登録個人情報２００、人間関係情報２１０に基づいて、ユーザａ〜ｃが所定のグループを構成するか否かを判別することが可能となる。
【００８９】
このように、情報提供システム１０１は詳細な登録個人情報２００、人間関係情報２１０に基づいてユーザａ〜ｃが所定のグループを構成するか否かを判別することが可能となるので、グループ毎に適切なコンテンツを提供することが可能となる。
【００９０】
なお、情報提供システム１０２において、登録情報ＤＢ４３Ａ，４３Ｂから登録情報ＤＢ４１への個人情報等の提供は、登録情報ＤＢ４１からの要求に対して登録情報ＤＢ４３Ａ，４３Ｂが提供する構成としてもよいし、登録情報ＤＢ４３Ａ，４３Ｂが主体的に登録情報ＤＢ４１へ個人情報を送信する構成としてもよい。
【００９１】
また、情報提供システム１０２において、登録情報ＤＢ４１が登録情報ＤＢ４３Ａ，４３Ｂから個人情報等を取得する場合に限られず、関係判定部２１が外部の登録情報ＤＢ４３Ａ，４３Ｂから直接、登録個人情報２００や人間関係情報２１０を取得する構成としてもよい。
【００９２】
また、情報提供システム１０２において、登録情報ＤＢ４１と接続する外部の登録情報ＤＢは、登録情報ＤＢ４３Ａ，４３Ｂの２つに限られず、１つまたは３つ以上であってもよい。また、１つのＩＤ変換サーバが１つの外部の登録情報ＤＢに接続される場合に限られず、１つのＩＤ変換サーバが外部の複数の登録情報ＤＢと接続する構成としてもよい。
【００９３】
また、実施例２では情報提供システム１５０が基地局ネットワーク１０５の基地局１０６から送信される情報に基づいてユーザａ，ｂの位置を検出した場合について説明したが、情報提供システム１５０はこの構成に限られるものではなく、例えばＧＰＳ（Global  Positioning  System）によってユーザａ，ｂの位置を検出することとしてもよい。
【００９４】
図１５は、ＧＰＳを有した情報提供システムの構成を示すシステム構成図である。図１５の各構成要素のうち図１１に示す実施例２の情報提供システム１５０と同一機能を達成する構成要素については同一番号を付しており、重複する説明は省略する。
【００９５】
情報提供システム１５１は、ユーザａ，ｂが携帯する携帯端末５Ａ，５Ｂ、ＧＰＳ６５、位置情報トラッキングサーバ２５、情報配信サーバ３５、グループ情報登録サーバ４５からなる。
【００９６】
ＧＰＳ６５は、人工衛星等を含んで構成されており、携帯端末５Ａ，５Ｂの位置を検出するとともに、携帯端末５Ａ，５Ｂにそれぞれの位置に関する情報を送信する。ここでの携帯端末５Ａ，５Ｂは、ＧＰＳ６５によって自らの位置が検出され、ＧＰＳ６５から自らの位置に関する情報を取得する機能を有している。携帯端末５Ａ，５Ｂは、ＧＰＳ６５から取得した自らの位置に関する情報を位置情報トラッキングサーバ２５に送信する。
【００９７】
なお、情報提供システム１５１において、例えば携帯端末５Ａ，５Ｂが携帯電話等である場合、位置情報トラッキングサーバ２５、情報配信サーバ３５、グループ情報登録サーバ４５のいずれか又は全てを携帯電話の契約先のプロバイダとしてもよいし、第３者プロバイダとしてもよい。携帯端末５Ａ，５Ｂに対して、位置情報トラッキングサーバ２５、情報配信サーバ３５、グループ情報登録サーバ４５のいずれか又は全てを第３者プロバイダとする場合、携帯端末５Ａ，５Ｂは、自らの位置に関する情報を第３者プロバイダとなる位置情報トラッキングサーバ２５に送信する。
【００９８】
このように、携帯端末５Ａ，５ＢがＧＰＳ６５から取得した自らの位置に関する情報を位置情報トラッキングサーバ２５に送信するので、位置情報トラッキングサーバ２５は、携帯端末５Ａ，５Ｂの位置に関する情報に基づいて携帯端末５Ａ，５Ｂの位置をトラッキングすることが可能となる。
【００９９】
これにより、情報提供システム１５１は、ユーザａ，ｂが構成するグループが行動を一緒にする場合に、グループの属性に応じたコンテンツを提供することが可能となり、ユーザ個人に応じたコンテンツを提供する場合よりもユーザの状況に応じた適切なコンテンツを提供することが可能となる。
【０１００】
また、実施例２では情報提供システム１５０において、携帯端末５Ａ，５Ｂが１つの基地局ネットワーク１０５と接続する場合について説明したが、情報提供システム１５０はこの構成に限られるものではなく、例えば情報提供システムを、複数のプロバイダ等からなる複数種類のキャリア網（後述する基地局ネットワーク１１０Ａ，１１０Ｂ）を含んで構成してもよい。
【０１０１】
図１６は、複数種類のキャリア網を有した情報提供システムの構成を示すシステム構成図である。図１６の各構成要素のうち図１１および図１５に示す情報提供システム１５０，１５１と同一機能を達成する構成要素については同一番号を付しており、重複する説明は省略する。
【０１０２】
情報提供システム１５２は、ユーザａ，ｂが携帯する携帯端末５Ａ，５Ｂ、基地局ネットワーク１１０Ａ，１１０Ｂ、キャリア内サーバ１２０Ａ，１２０Ｂ、位置情報トラッキングサーバ２６Ａ，２６Ｂ、情報配信サーバ３５、グループ情報登録サーバ４５、グループ位置トラッキングサーバ７０からなる。
【０１０３】
基地局ネットワーク１１０Ａは、キャリア内サーバ１２０Ａを介して位置情報トラッキングサーバ２６Ａと接続し、基地局ネットワーク１１０Ｂは、キャリア内サーバ１２０Ｂを介して位置情報トラッキングサーバ２６Ｂと接続する。ここでの位置情報トラッキングサーバ２６Ａ，２６Ｂは、実施例２で説明した位置情報トラッキングサーバ２５と同様の機能を有し、同様の動作を行なう。
【０１０４】
位置情報トラッキングサーバ２６Ａ，２６Ｂは、それぞれグループ位置トラッキングサーバ７０を介して情報配信サーバ３５、グループ情報登録サーバ４５と接続している。ここでの基地局ネットワーク１１０Ａ，１１０Ｂは、それぞれ異なるプロバイダ等からなるキャリア網を有している。すなわち、基地局ネットワーク１１０Ａ，１１０Ｂはそれぞれ所定の携帯端末とのみ接続可能である。ここでは携帯端末５Ａが基地局ネットワーク１１０Ａ内の基地局１０６と接続し、携帯端末５Ｂが基地局ネットワーク１１０Ｂ内の基地局１０６と接続する。実施例２と同様にユーザａ，ｂは、予め携帯端末５Ａ，５Ｂによってグループ情報登録サーバ４５にアクセスし、ユーザａ，ｂのグループに関する情報等を送信しておく。
【０１０５】
キャリア内サーバ１２０Ａ，１２０Ｂは、それぞれ基地局ネットワーク１１０Ａ，１１０Ｂと接続されるサーバであり、基地局ネットワーク１１０Ａ，１１０Ｂと接続する携帯端末５Ａ，５Ｂの管理等を行う。
【０１０６】
ここでの情報提供システム１５２においては、グループ位置トラッキングサーバ７０が、登録個人情報２００や人間関係情報２１０に基づいて複数のユーザが所定のグループを構成するか否かを判断するとともに、グループを構成しているユーザが一緒に行動しているか否かを判断する。このため、グループ位置トラッキングサーバ７０が登録個人情報２００や人間関係情報２１０を格納するとともに、実施例１で説明した関係判定部２１に対応する機能を有している。
【０１０７】
すなわち、単一キャリアのサービスで情報提供システムのサービスを提供する場合はキャリアのサーバ（グループ情報登録サーバ４５）に個人情報等がアップロードされたが、異なるキャリア間のユーザで個人情報等を登録してこのサービス提供する場合、キャリアと独立なサービスプロバイダ（グループ位置トラッキングサーバ７０）に、個人情報等の登録情報をアップロードする。
【０１０８】
つぎに、情報提供システム１５２の情報提供の動作手順を説明する。ここでは、ユーザａに対し、ユーザａとグループを構成するユーザｂが一緒に行動している場合について説明する。
【０１０９】
基地局ネットワーク１１０Ａ内の各基地局１０６は、基地局１０６の通信エリア内のユーザａ（携帯端末５Ａ）の位置を認識し、携帯端末５Ａの位置に関する情報をキャリア内サーバ１２０Ａを介して位置情報トラッキングサーバ２６Ａに送信する。
【０１１０】
また、基地局ネットワーク１１０Ｂ内の各基地局１０６は、基地局１０６の通信エリア内のユーザｂ（携帯端末５Ｂ）の位置を認識し、携帯端末５Ｂの位置に関する情報をキャリア内サーバ１２０Ｂを介して位置情報トラッキングサーバ２６Ｂに送信する。
【０１１１】
ここでの各位置情報トラッキングサーバ２６Ａ，２６Ｂは、それぞれユーザａ，ｂの位置をトラッキングし、ユーザａ，ｂの位置と移動に関する情報をグループ位置トラッキングサーバ７０に送信する。
【０１１２】
グループ位置トラッキングサーバ７０は、ユーザａとグループを構成するユーザ（ここ
ではユーザｂ）を登録個人情報２００や人間関係情報２１０に基づいて選出する（ステップＳ２１０）。
【０１１３】
グループ位置トラッキングサーバ７０は、位置情報トラッキングサーバ２６Ａ，２６Ｂから送信されるユーザａ，ｂの位置と移動に関する情報に基づいてユーザａとユーザｂからなる所定のグループが一緒に行動しているか否かを判断する。
【０１１４】
グループ位置トラッキングサーバ７０が、ユーザａ，ｂは所定の関係を有したグループであって一緒に行動していると判断すると、このグループに関する情報を情報配信サーバ３５に送信する。
【０１１５】
情報配信サーバ３５は、グループ向けコンテンツ情報２２０に基づいて、グループ位置トラッキングサーバ７０から受信した所定の関係を有したグループに対応するコンテンツをユーザａ，ｂへの提供情報として抽出しユーザａ，ｂに提供する。
【０１１６】
これにより、情報提供システム１５２を、複数種類のキャリア網である基地局ネットワーク１１０Ａ，１１０Ｂを含んで構成した場合であっても、ユーザａ，ｂの位置に関する情報をキャリア内サーバ１２０Ａ，１２０Ｂを介して位置情報トラッキングサーバ２６Ａ，２６Ｂに送信するので、位置情報トラッキングサーバ２６Ａ，２６Ｂは、携帯端末５Ａ，５Ｂの位置に関する情報に基づいて携帯端末５Ａ，５Ｂの位置をトラッキングすることが可能となる。
【０１１７】
また、位置情報トラッキングサーバ２６Ａ，２６Ｂがグループ位置トラッキングサーバ７０にユーザａ，ｂの位置や移動に関する情報を送信するので、グループ位置トラッキングサーバ７０は、ユーザａ，ｂが一緒に行動しているか否かを判断することが可能となる。
【０１１８】
これにより、情報提供システム１５２は、ユーザａ，ｂが構成するグループが行動を一緒にする場合に、グループの属性に応じたコンテンツを提供することが可能となり、ユーザ個人に応じたコンテンツを提供する場合よりもユーザの状況に応じた適切なコンテンツを提供することが可能となる。
【０１１９】
また、情報提供システムの構成に限られず、本発明は上記特許請求の範囲に記載した技術的思想の範囲内において種々の異なる実施例によって実施されてもよいものである。そこで、以下に示すように、（１）ユーザＩＤの登録、（２）ＩＤの認識、（３）グループの登録とグループの認識、（４）グループに応じた情報の選択と提供、（５）所定の場所にいるグループの検出、（６）グルーピングの方法、（７）その他にそれぞれ区分けして異なる実施例を説明する。
【０１２０】
（１）ユーザＩＤの登録
実施例１〜３においては、ユーザＩＤをＲＦＩＤ１Ａや携帯端末５Ａ等を介して登録する場合について説明したが、本発明はこれに限定されるものではく、種々のサービスを受ける際に発行されるＩＤや個人情報を登録する構成としてもよい。
【０１２１】
すなわち、例えば実施例３の図１４で説明した情報提供システム１０２において、外部の登録情報ＤＢ４３Ａ，４３Ｂにユーザがサービスを受ける際に発行されるＩＤや個人情報を登録しておく。例えば、各種クレジットカード、定期券、切符、航空券、演劇・コンサート等のチケット、社員証/学生証、病院の診察券、銀行のＡＴＭカード、お店が発行
するポイントカードや会員カード等の発行やサービスを受ける際に登録される情報を登録情報ＤＢ４３Ａ，４３Ｂに格納しておく。
【０１２２】
これらのサービスはサービス時にカードの発行を行なうものであり、カードを発行する際に少なくともユーザの氏名等の情報をカードの発行元に提供している。カードの発行元が各ユーザのＩＤを管理するためのデータベースを登録情報ＤＢ４３Ａ，４３Ｂとすることによって、ユーザのＩＤに基づいて登録されている情報を取り出すことが可能となる。
【０１２３】
また、カード（ＩＤ）を発行しないサービスであっても、公共料金（電気、ガス、水道、電話等）、インターネット接続サービス、インターネットから登録する会員サービス等のサービスを受ける際に所定のＩＤに対して登録情報を管理しているものがある。これらの事前に登録された情報を利用すれば、グループ向けの情報サービスのために個人情報等を登録する必要がなくなる。また、米国のソーシャルセキュリティナンバー等の全ての個人に割り振られたＩＤを利用してもよい。この場合、例えばＳＬＡ（Service  Level  Agreement）を結ぶことによってこれらのＩＤを利用したサービスを行なう。
【０１２４】
（２）ＩＤ（ユーザＩＤ）の認識
本発明におけるＲＦＩＤ１Ａ等としては、無線（非接触）でＩＤを取り出すことができればよく、無線の方式としては例えば１３．５６ＭＨｚ帯、２．４５ＧＨｚ帯の電波を利用したものがある。また、これら以外の周波数を利用したものとして例えば赤外線、光、超音波等でＩＤを取り出すことができるものであってもよい。
【０１２５】
また、ＲＦＩＤ１Ａ等はカード型である場合に限られず、ＩＤ情報をハードの中に組み込んだ携帯電話等であってもよく、生体認証（指紋、静脈認証、声紋、虹彩、顔画像認証等）によりＩＤを認識するものであってもよい。
【０１２６】
なお、ＩＤの認識は情報提供システム１００等が所定の距離だけ離れた位置から能動的に取得して認識することとしてもよいし、プライバシーやセキュリティの問題を回避するため、ユーザが情報提供システム１００等によるグループに応じた情報の提供サービスを受ける際、ユーザがＩＤの取得を許可した場合のみＩＤを取得可能な構成としてもよい。
【０１２７】
また、近距離型の非接触ＩＤカードや接触型のＩＤカード等を、ユーザが所定の場所（近距離型のＲＦＩＤリーダが設置された場所）に近づけることや、カードスロットに入れることによって、ユーザが明示的にＩＤを提示しＩＤを認識させることとしてもよい。
【０１２８】
（３）グループの登録とグループの認識
所定のユーザ同士が所定のグループを構成する関係を有しているか否か（人間関係グループ）を判断する方法は、例えば情報提供システム１００等を提供するサービスプロバイダが予め固定カテゴリを用意する方法、予めグルーピングされた登録情報をサービスプロバイダが利用する方法、ユーザが独自に作ったカテゴリをサービスプロバイダが利用する方法等がある。
【０１２９】
ユーザが直接、固定カテゴリに自分と関係のある人（ユーザ）を登録するようにしてもよいし、他のサービスを受ける際にＩＤを取得するために登録した情報から人間関係情報２１０を生成して登録してもよい。このようなグループを構成するメンバーに関する情報の登録は、携帯電話料金の家族向けの割引サービスを受ける際や、所定のサービスに対する料金の引き落とし口座を指定する際に、ユーザ等によってサービスの申し込み用紙等に記載される「本人との関係」を書く欄から判断して登録してもよい。
【０１３０】
また、「本人との関係」が直接記載されていないような場合であっても、簡単なルールや常識を利用することによって、ユーザ間の関係を推論し利用することとしてもよい。例えば、Ａさんの所属が「Ｘ部」で役職が「部長」であり、Ｂさんの所属が「Ｘ部」で役職
が「課長」であるという登録情報がある場合に、部長と課長は上司と部下の関係であるというルール（知識）を利用すると、ＡさんとＢさんのＩＤを認識した際に、２人は直属の上司と部下の関係であると推論できる。同様に、Ｓさんの情報としてＳさんとＹさんは家族（親子）であり、Ｐさんの情報としてＰさんとＳさんは兄弟であるという登録情報がある場合に親戚関係のルールを適用すれば、ＰさんとＳさんのＩＤを認識した際に、２人は親戚関係にあると推論できる。そして、これらの推論内容をグループ特性として、例えば上司と部下の関係に応じたコンテンツや親戚関係に応じたコンテンツを提供することが可能となる。これらの推論は独自で用意したルールを利用してもいいし、例えばＳｅｍａｎｔｉｃＷｅｂの技術等によりＷｅｂ上に存在するルールを参照してもよい。
【０１３１】
これにより、グループ向けの情報サービスを受ける際に、ユーザが手間をかけて人間関係に関する情報を入力しなくても、所定のサービス提供会社等から人間関係に関する情報を取得してグループ向けの情報サービスを提供することが可能となる。
【０１３２】
また、ユーザが携帯電話等を利用する場合に、情報提供システム１０２等がユーザによってアドレス帳等に登録した全ての人の位置をトラッキングし、よく一緒に行動する人を自動的に検出し、検出されたユーザに対してグループへの登録を促すこととしてもよい。また、ユーザ同士の対話等から親密度を分析する手段によって、知人から友人などの関係を自動判別するようなシステムと組み合わせてもよい。
【０１３３】
また、ユーザ同士が構成するグループが同じ親子関係であっても、親子の年齢によって望まれるコンテンツが異なる。例えば、３０才の親で４才の子供を連れた親子と、７５才の親と４８才の子供からなる親子では、望まれるコンテンツが異なるため単純な親子関係だけでなく、年齢等の属性も加味してグループの関係認識を行なうこととしてもよい。
【０１３４】
（４）グループに応じた情報の選択と提供
グループに応じた情報を選択して提供するため、グループ特性とコンテンツが１対１に結びつけられているようなケース以外に、コンテンツのジャンル毎にグループに応じたコンテンツの分類があり、そのコンテンツの分類に実際の個別のコンテンツを割り振り、これらをさらに別な条件（場所条件やユーザの好みに関する情報）によりフィルタリングして、ユーザに提供することとしてもよい。
【０１３５】
また、グループ特性にコンテンツが複数マッチするような場合、マッチ度に応じてコンテンツをランキング形式で複数提供することとしてもよい。また、コンテンツ等の情報の提供はグループ特性を検出した際にプッシュによる方式で提供してもよいし、ユーザがコンテンツ等のメニューから所定のジャンルを選んだ時に表示されるコンテンツがグループに応じた情報となるよう提供することとしてもよい。また、情報表示部３１等へは通常の一般的なコンテンツを表示しておき、所定のグループを認識してグループに応じたコンテンツを判別した際に、グループに応じたコンテンツを目立たせる（大きくする、まわりを囲む、「おすすめ」などの文字を加える等）処理を行なって表示することとしてもよい。
【０１３６】
（５）所定の場所にいるグループの検出
所定の場所に一緒にいるグループを検出する場合、複数のグループが同時に見つかる場合がある。この場合において、複数のグループ毎のコンテンツを１つの情報表示部３１等で表示する場合、グループが先に認識された順番で優先的に時分割によって情報表示部３１に表示するようにしてもよいし、情報表示部３１の画面のレイアウトをグループの人数比に応じて割り振って表示してもよいし、各グループのコンテンツ毎にカラーを作って色づけで区別して表示することとしてもよい。
【０１３７】
また、所定のユーザに対してグループの組合せが複数考えられる場合は、その状況にい
る多くの人にマッチするグルーピングを検出し、検出したグループに応じたコンテンツを提供してもよい。
【０１３８】
（６）グルーピングの方法（過去の履歴の利用）
ユーザや所定のサービス提供会社によって、ユーザの個人情報等を登録情報ＤＢ４１等に登録しておく場合に限られず、ユーザの行動の過去の履歴に基づいてユーザの個人情報等を登録情報ＤＢ４１等に登録してもよい。
【０１３９】
例えば、Ａ、Ｂ、Ｃさんの組合せでよく行く店はＸ、Ｙ、Ｚで、Ｘ、Ｙ、Ｚの共通属性は飲み屋であるとすると、Ａ、Ｂ、Ｃさんは「飲み友達」というグルーピングができる。また、Ａ、Ｄ、Ｅさんの組合せでよく行くところは、Ｓ、Ｔ、Ｕ、Ｖ、Ｗで、Ｓ、Ｔ、Ｕ、Ｖ、Ｗがゴルフ場だとすると、Ａ、Ｄ、Ｅさんは「ゴルフ友達」というグルーピングができる。
【０１４０】
また、「ゴルフ友達」のグループには、ゴルフに関連する情報を単純に提供するだけでなく、ゴルフをする人に関連性が高い「サウナ」の情報を提供することとしてもよい。このように、グループを単純にコンテンツのジャンルに結びつけるのではなく、グループにコンテンツ提供の効果が高いと思われるコンテンツを提供することによって、コンテンツ提供の価値を上げることが可能となる。
【０１４１】
（７）その他（情報提供システムによるサービス例）
会社等では、社員カードのほかに、ゲストにはゲストカードを渡すことがある。これにより、ユーザが社員同士でいる状態であるか、社員とゲストが一緒にいる状態であるかを判定することが可能となる。社員用の食堂やお客様向けの食堂、お客様がいるときに通る道の案内等の情報を表示する際にこれらの情報を利用することができる。
【０１４２】
病院では、医者、看護婦、薬剤師、患者、患者の家族等の種別があり、これらによって構成されるグループに応じて提供するコンテンツを変えてもよい。例えば、同じ病状を説明するようなコンテンツであっても、医者と看護婦では治療の仕方がわかるようなコンテンツを提供し、医者と薬剤師では適用する薬関係の情報を共有できるコンテンツを提供し、患者と患者の家族では病気のわかりやすい表現や自己管理方法等のコンテンツを提供する等、コンテンツの提供の方法（内容）を変えてもよい。
【０１４３】
また、情報提供システム１００等において、車が備える所定の装置（ＲＦＩＤリーダ１１等）に乗車者のＩＤを認識させ、このＩＤを有するユーザによって構成されるグループに応じたコンテンツをカーナビゲーション装置の表示画面に表示させてもよい。
【０１４４】
また、情報提供システム１００等において、エレベータで同時に乗り合わせた人のＩＤをＲＦＩＤリーダ１１等に認識させ、認識できたグループに応じたコンテンツをエレベータ内のディスプレイ等（情報表示部３１）に表示させてもよい。また、例えば会議室等の閉空間にいるユーザを認識し、会議室に配設されている大型表示装置等に、そのユーザが構成するグループ向けの情報を表示させてもよい。
【０１４５】
カーナビゲーションシステムのサービスを利用している複数台の車で、所定期間同じ経路を走っている場合に、複数台の車は一緒に行動していると判定し、この複数台の車からなるグループに応じた休憩ポイント等の情報提供を、各車のカーナビゲーションシステムを通じて行なうこととしてもよい。
【産業上の利用可能性】
【０１４６】
以上のように、本発明に係る情報提供システムおよび情報提供方法は、行動を共にする
グループへの情報の提供に適している。
【図面の簡単な説明】
【０１４７】
【図１】図１は、本発明に係る情報提供システムの概念を説明するための概念図である。
【図２】図２は、いっしょにいる相手により提供するコンテンツが変わる一例を説明するための図である。
【図３】図３は、個人情報記憶装置へのグループ登録の概念を説明するための図である。
【図４】図４は、複数のユーザの位置をトラッキングし、それらの人がいっしょに行動しているかを判断する処理の概念を説明するための図である。
【図５】図５は、ユーザに提供されるコンテンツの一覧表の一例を示す図である。
【図６】図６は、実施例１に係る情報提供システムの構成を示すシステム構成図である。
【図７】図７は、実施例１に係る情報提供の動作手順を示すフローチャートである。
【図８】図８は、登録個人情報の構成を示す図である。
【図９】図９は、人間関係情報の構成を示す図である。
【図１０】図１０は、グループ向けコンテンツ情報の構成を示す図である。
【図１１】図１１は、実施例２に係る情報提供システムの構成を示すシステム構成図である。
【図１２】図１２は、実施例２に係る情報提供の動作手順を示すフローチャートである。
【図１３】図１３は、複数の大画面表示装置を有した情報提供システムの構成を示すシステム構成図である。
【図１４】図１４は、登録情報ＤＢ同士が複数接続する情報提供システムの構成を示すシステム構成図である。
【図１５】図１５は、ＧＰＳを有した情報提供システムの構成を示すシステム構成図である。
【図１６】図１６は、複数種類のキャリア網を有した情報提供システムの構成を示すシステム構成図である。
【符号の説明】
【０１４８】
１Ａ〜１Ｆ  ＲＤＩＤ
３Ａ〜３Ｃ  個人情報記憶装置
５Ａ，５Ｂ  携帯端末
１０  情報取得装置
１１  ＲＦＩＤリーダ
１２  関係判定部
１３  情報表示部
２０  関係判定装置
２１  関係判定部
２５，２６Ａ，２６Ｂ  位置情報トラッキングサーバ
３０  情報提供装置
３１  情報表示部
３５  情報配信サーバ
４０  登録情報記憶装置
４１，４３Ａ，４３Ｂ  登録情報ＤＢ
４５  グループ情報登録サーバ
５０  提供情報記憶装置
５１  コンテンツＤＢ
６１Ａ，６１Ｂ  ＩＤ変換サーバ
７０  グループ位置トラッキングサーバ
９０  大画面表示装置
１００〜１０２、１５０〜１５２  情報提供システム
１０５，１１０Ａ，１１０Ｂ  基地局ネットワーク
１０６  基地局
１２０Ａ，１２０Ｂ  キャリア内サーバ
２００  登録個人情報
２１０  人間関係情報
２２０  グループ向けコンテンツ情報
ａ〜ｄ  ユーザ
【国際調査報告】
2006085383.tif 000018
2006085383.tif 000019
2006085383.tif 000020
2006085383.tif 000021